(57)【要約】【課題】本発明は、ランダム・アクセス・チャネル・ZCシーケンスを生成する方法及び装置である。【解決手段】ランダム・アクセス・チャネル・ZCシーケンスを生成する方法は、基地局が通知シグナリングを生成し、通知シグナリングは、ユーザ機器UEに、ランダム・アクセス・セット内の第2の限定セットを用いてランダム・アクセス・ZCシーケンスを生成するための命令に用いられ、基地局がUEが第2の限定セットを用いてランダム・アクセス・ZCシーケンスを生成するように、UEへ通知シグナリングを送信する。ランダム・アクセス・セットは、非限定セット、第1の限定セット及び第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。【選択図】図１
2018088718.tif 000002
【特許請求の範囲】
【請求項１】
ランダム・アクセス・チャネル・ZCシーケンスを生成するための方法であって、
基地局が通知シグナリングを生成するステップであって、前記通知シグナリングは、ユーザ機器UEに、ランダム・アクセス・セット内の第2の限定セットを用いてランダム・アクセス・ZCシーケンスを生成するよう命令するのに用いられる、前記ステップと、
前記基地局が、前記UEが前記第2の限定セットを用いて前記ランダム・アクセス・ZCシーケンスを生成するように、前記UEへ前記通知シグナリングを送信するステップと、
を含み、
前記ランダム・アクセス・セットは非限定セット、第1の限定セット、および前記第2の限定セットを含み、
前記第2の限定セットは、前記UEのドップラー周波数シフトが第1の所定値以上であるときに前記UEが用いる必要のあるランダム・アクセス・セットであり、前記第1の所定値は物理ランダム・アクセス・チャネルPRACHサブキャリア間隔の1倍より大きい、方法。
【請求項２】
基地局が通知シグナリングを生成する前記ステップの前に、
前記基地局が、前記UEの前記ドップラー周波数シフトを獲得するステップと、
前記UEの前記ドップラー周波数シフトが前記第1の所定値以上である場合、基地局が、通知シグナリングを生成する前記ステップを行うステップと、
をさらに含む、請求項1に記載の方法。
【請求項３】
基地局が通知シグナリングを生成するステップであって、前記通知シグナリングは、UEに、ランダム・アクセス・セット内の第2の限定セットを用いてランダム・アクセス・ZCシーケンスを生成するよう命令するのに用いられる、前記ステップは、
前記基地局が、前記通知シグナリングを生成するステップであって、前記通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられる、前記ステップ、
を含む、請求項1または2に記載の方法。
【請求項４】
前記基地局が、前記UEへ前記通知シグナリングを送信する前記ステップの後に、
前記基地局が、前記第2の限定セットに従ってシフト通し番号を決定するステップと、
前記基地局が、前記第2の限定セットおよび前記シフト通し番号に従って循環シフト値を獲得するステップと、
前記基地局が、前記循環シフト値に従ってZCシーケンスを生成し、前記ZCシーケンスを用いて、前記UEによって送信されたランダム・アクセス・ZCシーケンスを検出するステップであって、前記ランダム・アクセス・ZCシーケンスは前記第2の限定セットを用いて前記UEによって生成される、前記ステップと、
をさらに含む、請求項3に記載の方法。
【請求項５】
基地局が通知シグナリングを生成するステップであって、前記通知シグナリングは、UEに、ランダム・アクセス・セット内の第2の限定セットを用いてランダム・アクセス・ZCシーケンスを生成するよう命令するのに用いられる、前記ステップは、
前記基地局が、第1の通知シグナリングおよび第2の通知シグナリングを生成するステップであって、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングはシフト通し番号を含み、前記シフト通し番号は、前記UEに、前記シフト通し番号および前記セット命令情報によって指示される前記第2の限定セットを用いて前記ランダム・アクセス・ZCシーケンスを生成するよう命令するのに用いられる、前記ステップ、
を含む、請求項1または2に記載の方法。
【請求項６】
前記基地局が第2の通知シグナリングを生成する前記ステップの前に、
前記基地局が前記シフト通し番号に従って前記第2の通知シグナリングを生成するように、前記基地局が、前記第2の限定セットに従って前記シフト通し番号を決定するステップ、
をさらに含む、請求項5に記載の方法。
【請求項７】
前記基地局が、前記UEへ前記通知シグナリングを送信する前記ステップの後に、
前記基地局が、前記第2の限定セットおよび前記シフト通し番号に従って循環シフト値を獲得するステップと、
前記基地局が、前記循環シフト値に従ってZCシーケンスを生成し、前記ZCシーケンスを用いて、前記UEによって送信されたランダム・アクセス・ZCシーケンスを検出するステップであって、前記ランダム・アクセス・ZCシーケンスは前記第2の限定セットを用いて前記UEによって生成される、前記ステップと、
をさらに含む、請求項6に記載の方法。
【請求項８】
基地局が通知シグナリングを生成するステップであって、前記通知シグナリングは、UEに、ランダム・アクセス・セット内の第2の限定セットを用いてランダム・アクセス・ZCシーケンスを生成するよう命令するのに用いられる、前記ステップは、
前記基地局が、第1の通知シグナリングおよび第2の通知シグナリングを生成するステップであって、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングは循環シフト値を含み、前記循環シフト値は、前記UEに、前記循環シフト値および前記セット命令情報によって指示される前記第2の限定セットを用いて前記ランダム・アクセス・ZCシーケンスを生成するよう命令するのに用いられる、前記ステップ、
を含む、請求項1または2に記載の方法。
【請求項９】
前記基地局が第2の通知シグナリングを生成する前記ステップの前に、
前記基地局が、前記第2の限定セットに従ってシフト通し番号を決定するステップと、
前記基地局が前記循環シフト値に従って前記第2の通知シグナリングを生成するように、前記基地局が、前記第2の限定セットおよび前記シフト通し番号に従って前記循環シフト値を獲得するステップ、
をさらに含む、請求項8に記載の方法。
【請求項１０】
前記基地局が、前記UEへ前記通知シグナリングを送信する前記ステップの後に、
前記基地局が、前記循環シフト値に従ってZCシーケンスを生成し、前記ZCシーケンスを用いて、前記UEによって送信されたランダム・アクセス・ZCシーケンスを検出するステップであって、前記ランダム・アクセス・ZCシーケンスは前記第2の限定セットを用いて前記UEによって生成される、前記ステップ、
をさらに含む、請求項9に記載の方法。
【請求項１１】
前記基地局が、前記循環シフト値を獲得する前記ステップは、
前記基地局が、以下の式（1）を用いて前記シフト通し番号vに従って前記UEの循環シフト値Cvを獲得するステップであって、
【数１】
2018088718.tif 000415
（1）
式中、doffsetはシフトオフセットであり、dstartは近隣のグループ間の循環シフト距離であり、vは前記シフト通し番号であり、
【数２】
2018088718.tif 000416
は1グループ内のUEの候補シーケンスシフトの数であり、NCSは1ユーザによって占有される循環シフトの数である、前記ステップ、
を含む、請求項4、7または9のいずれか一項に記載の方法。
【請求項１２】
前記基地局が、前記シフト通し番号を獲得する前記ステップは、
前記基地局が、0から
【数３】
2018088718.tif 000417
までの範囲から前記シフト通し番号vを選択するステップであって、vは正の整数であり、
【数４】
2018088718.tif 000418
は1グループ内のUEの候補シーケンスシフトの数であり、
【数５】
2018088718.tif 000419
はグループの数であり、
【数６】
2018088718.tif 000420
は1グループには不十分な最後の長さの内のUEの候補シーケンスシフトの数である、前記ステップ、
を含む、請求項4、6または9のいずれか一項に記載の方法。
【請求項１３】
【数７】
2018088718.tif 000421
、dstart、
【数８】
2018088718.tif 000422
、および
【数９】
2018088718.tif 000423
が式（2）から式（5）を満たし、
式（2）から式（5）はそれぞれ、
【数１０】
2018088718.tif 000424
（2）、
【数１１】
2018088718.tif 000425
（3）、
【数１２】
2018088718.tif 000426
（4）、および
【数１３】
2018088718.tif 000427
（5）
である、請求項11または12に記載の方法。
【請求項１４】
【数１４】
2018088718.tif 000428
、dstart、
【数１５】
2018088718.tif 000429
、および
【数１６】
2018088718.tif 000430
が式（6）から式（9）を満たし、
式（6）から式（9）はそれぞれ、
【数１７】
2018088718.tif 000431
（6）、
【数１８】
2018088718.tif 000432
（7）、
【数１９】
2018088718.tif 000433
（8）、および
【数２０】
2018088718.tif 000434
（9）
である、請求項11または12に記載の方法。
【請求項１５】
【数２１】
2018088718.tif 000435
、dstart、
【数２２】
2018088718.tif 000436
、および
【数２３】
2018088718.tif 000437
が式（10）から式（13）を満たし、
式（10）から式（13）はそれぞれ、
【数２４】
2018088718.tif 000438
（10）、
【数２５】
2018088718.tif 000439
（11）、
【数２６】
2018088718.tif 000440
（12）、および
【数２７】
2018088718.tif 000441
（13）
である、請求項11または12に記載の方法。
【請求項１６】
NCS≦du＜NZC／5であるとき、
【数２８】
2018088718.tif 000442
、dstart、
【数２９】
2018088718.tif 000443
、および
【数３０】
2018088718.tif 000444
は式（2）から式（5）を満たし、NZC／5≦du≦（NZC−NCS）／4であるとき、
【数３１】
2018088718.tif 000445
、dstart、
【数３２】
2018088718.tif 000446
、および
【数３３】
2018088718.tif 000447
は式（6）から式（9）を満たし、または、（NZC＋NCS）／4≦du≦（NZC−NCS）／3であるとき、
【数３４】
2018088718.tif 000448
、dstart、
【数３５】
2018088718.tif 000449
、および
【数３６】
2018088718.tif 000450
は式（10）から式（13）を満たし、
duは、ドップラー周波数シフトが前記PRACHサブキャリア間隔の1倍であるときにZCシーケンスが対応する循環シフトである、請求項13から15のいずれか一項に記載の方法。
【請求項１７】
ランダム・アクセス・チャネル・ZCシーケンスを生成するための方法であって、
ユーザ機器UEが、基地局から通知シグナリングを受信するステップであって、前記通知シグナリングは、前記UEに、ランダム・アクセス・セット内の第2の限定セットを用いて前記ランダム・アクセス・ZCシーケンスを生成するよう命令するのに用いられる、前記ステップと、
前記UEが、前記第2の限定セットに従ってランダム・アクセス・ZCシーケンスを生成するステップと、
を含み、
前記ランダム・アクセス・セットは非限定セット、第1の限定セット、および前記第2の限定セットを含み、前記第2の限定セットは、前記UEのドップラー周波数シフトが第1の所定値以上であるときに前記UEが用いる必要のあるランダム・アクセス・セットであり、前記第1の所定値は物理ランダム・アクセス・チャネルPRACHサブキャリア間隔の1倍より大きい、方法。
【請求項１８】
UEが、基地局から通知シグナリングを受信するステップであって、前記通知シグナリングは、前記UEに、ランダム・アクセス・セット内の第2の限定セットを用いて前記ランダム・アクセス・ZCシーケンスを生成するよう命令するのに用いられる、前記ステップは、
前記UEが、前記基地局から前記通知シグナリングを受信するステップであって、前記通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられる、前記ステップ、
を含み、
対応して、前記UEが、前記第2の限定セットに従ってランダム・アクセス・ZCシーケンスを生成する前記ステップは、
前記UEが、前記第2の限定セットに従ってシフト通し番号を決定するステップと、
前記UEが、前記第2の限定セットおよび前記シフト通し番号に従って循環シフト値を獲得するステップと、
前記UEが、前記循環シフト値に従ってランダム・アクセス・ZCシーケンスを生成するステップと、
を含む、請求項17に記載の方法。
【請求項１９】
前記UEが、前記第2の限定セットに従ってシフト通し番号を決定する前記ステップは、
前記UEが、0から
【数３７】
2018088718.tif 000451
までの範囲から前記シフト通し番号vを選択し、獲得するステップであって、vは正の整数であり、
【数３８】
2018088718.tif 000452
は1グループ内のUEの候補シーケンスシフトの数であり、
【数３９】
2018088718.tif 000453
はグループの数であり、
【数４０】
2018088718.tif 000454
は1グループには不十分な最後の長さの内のUEの候補シーケンスシフトの数である、前記ステップ、
を含む、請求項18に記載の方法。
【請求項２０】
UEが、基地局から通知シグナリングを受信するステップであって、前記通知シグナリングは、前記UEに、ランダム・アクセス・セット内の第2の限定セットを用いて前記ランダム・アクセス・ZCシーケンスを生成するよう命令するのに用いられる、前記ステップは、
前記UEが、前記基地局から第1の通知シグナリングおよび第2の通知シグナリングを受信するステップであって、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングはシフト通し番号を含み、前記シフト通し番号は、前記UEに、前記シフト通し番号および前記セット命令情報によって指示される前記第2の限定セットを用いて前記ランダム・アクセス・ZCシーケンスを生成するよう命令するのに用いられる、前記ステップ、
を含み、
対応して、前記UEが、前記第2の限定セットに従ってランダム・アクセス・ZCシーケンスを生成する前記ステップは、
前記UEが、前記第2の限定セットおよび前記シフト通し番号に従って循環シフト値を獲得するステップと、
前記UEが、前記循環シフト値に従ってランダム・アクセス・ZCシーケンスを生成するステップと、
を含む、請求項17に記載の方法。
【請求項２１】
前記UEが、前記第2の限定セットおよび前記シフト通し番号に従って循環シフト値を獲得する前記ステップは、
前記UEが、以下の式（1）を用いて前記シフト通し番号vに従って前記循環シフト値Cvを獲得するステップであって、
【数４１】
2018088718.tif 000455
（1）
式中、doffsetはシフトオフセットであり、dstartは近隣のグループ間の循環シフト距離であり、vは前記シフト通し番号であり、
【数４２】
2018088718.tif 000456
は1グループ内のUEの候補シーケンスシフトの数であり、NCSは1ユーザによって占有される循環シフトの数である、前記ステップ、
を含む、請求項18または20に記載の方法。
【請求項２２】
UEが、基地局から通知シグナリングを受信するステップであって、前記通知シグナリングは、前記UEに、ランダム・アクセス・セット内の第2の限定セットを用いて前記ランダム・アクセス・ZCシーケンスを生成するよう命令するのに用いられる、前記ステップは、
前記UEが、前記基地局から第1の通知シグナリングおよび第2の通知シグナリングを受信するステップであって、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングは循環シフト値を含み、前記循環シフト値は、前記UEに、前記循環シフト値および前記セット命令情報によって指示される前記第2の限定セットを用いて前記ランダム・アクセス・ZCシーケンスを生成するよう命令するのに用いられる、前記ステップ、
を含み、
対応して、前記UEが、前記第2の限定セットに従ってランダム・アクセス・ZCシーケンスを生成する前記ステップは、
前記UEが、前記循環シフト値に従ってランダム・アクセス・ZCシーケンスを生成するステップ、
を含む、請求項17に記載の方法。
【請求項２３】
前記UEが、前記循環シフト値に従ってランダム・アクセス・ZCシーケンスを生成する前記ステップは、
前記UEが、以下の式（14）を用いて前記循環シフト値に従ってランダム・アクセス・ZCシーケンス
【数４３】
2018088718.tif 000457
を生成するステップであって、
【数４４】
2018088718.tif 000458
（14）
式中、NZCはシーケンス長であり、Cvは前記循環シフト値であり、そのルートがuであるZCシーケンスは
【数４５】
2018088718.tif 000459
として定義される、請求項18、20または22のいずれか一項に記載の方法。
【請求項２４】
【数４６】
2018088718.tif 000460
、dstart、
【数４７】
2018088718.tif 000461
、および
【数４８】
2018088718.tif 000462
が式（2）から式（5）を満たし、
式（2）から式（5）はそれぞれ、
【数４９】
2018088718.tif 000463
（2）、
【数５０】
2018088718.tif 000464
（3）、
【数５１】
2018088718.tif 000465
（4）、および
【数５２】
2018088718.tif 000466
（5）
である、請求項19または21に記載の方法。
【請求項２５】
【数５３】
2018088718.tif 000467
、dstart、
【数５４】
2018088718.tif 000468
、および
【数５５】
2018088718.tif 000469
が式（6）から式（9）を満たし、
式（6）から式（9）はそれぞれ、
【数５６】
2018088718.tif 000470
（6）、
【数５７】
2018088718.tif 000471
（7）、
【数５８】
2018088718.tif 000472
（8）、および
【数５９】
2018088718.tif 000473
（9）
である、請求項19または21に記載の方法。
【請求項２６】
【数６０】
2018088718.tif 000474
、dstart、
【数６１】
2018088718.tif 000475
、および
【数６２】
2018088718.tif 000476
が式（10）から式（13）を満たし、
式（10）から式（13）はそれぞれ、
【数６３】
2018088718.tif 000477
（10）、
【数６４】
2018088718.tif 000478
（11）、
【数６５】
2018088718.tif 000479
（12）、および
【数６６】
2018088718.tif 000480
（13）
である、請求項19または21に記載の方法。
【請求項２７】
NCS≦du＜NZC／5であるとき、
【数６７】
2018088718.tif 000481
、dstart、
【数６８】
2018088718.tif 000482
、および
【数６９】
2018088718.tif 000483
は式（2）から式（5）を満たし、NZC／5≦du≦（NZC−NCS）／4であるとき、
【数７０】
2018088718.tif 000484
、dstart、
【数７１】
2018088718.tif 000485
、および
【数７２】
2018088718.tif 000486
は式（6）から式（9）を満たし、または、（NZC＋NCS）／4≦du≦（NZC−NCS）／3であるとき、
【数７３】
2018088718.tif 000487
、dstart、
【数７４】
2018088718.tif 000488
、および
【数７５】
2018088718.tif 000489
は式（10）から式（13）を満たし、
duは、ドップラー周波数シフトが前記PRACHサブキャリア間隔の1倍であるときにZCシーケンスが対応する循環シフトである、請求項24から26のいずれか一項に記載の方法。
【請求項２８】
ランダム・アクセス・チャネル・ZCシーケンスを生成するための方法であって、
基地局が、0から
【数７６】
2018088718.tif 000490
までの範囲からシフト通し番号vを選択するステップであって、vは正の整数であり、
【数７７】
2018088718.tif 000491
は1グループ内のユーザ機器UEの候補シーケンスシフトの数であり、
【数７８】
2018088718.tif 000492
はグループの数であり、
【数７９】
2018088718.tif 000493
は1グループには不十分な最後の長さの内のUEの候補シーケンスシフトの数である、前記ステップと、
前記基地局が、以下の式（1）を用いて前記シフト通し番号vに従って循環シフト値Cvを獲得するステップであって、
【数８０】
2018088718.tif 000494
（1）
式中、doffsetはシフトオフセットであり、dstartは近隣のグループ間の循環シフト距離であり、
【数８１】
2018088718.tif 000495
は1グループ内のUEの候補シーケンスシフトの前記数であり、NCSは1ユーザによって占有される循環シフトの数であり、
【数８２】
2018088718.tif 000496
、dstart、
【数８３】
2018088718.tif 000497
、および
【数８４】
2018088718.tif 000498
は式（2）から式（5）を満たし、または
【数８５】
2018088718.tif 000499
、dstart、
【数８６】
2018088718.tif 000500
、および
【数８７】
2018088718.tif 000501
は式（6）から式（9）を満たし、または
【数８８】
2018088718.tif 000502
、dstart、
【数８９】
2018088718.tif 000503
、および
【数９０】
2018088718.tif 000504
は式（10）から式（13）を満たし、
【数９１】
2018088718.tif 000505
（2）、
【数９２】
2018088718.tif 000506
（3）、
【数９３】
2018088718.tif 000507
（4）、
【数９４】
2018088718.tif 000508
（5）、
【数９５】
2018088718.tif 000509
（6）、
【数９６】
2018088718.tif 000510
（7）、
【数９７】
2018088718.tif 000511
（8）、
【数９８】
2018088718.tif 000512
（9）、
【数９９】
2018088718.tif 000513
（10）、
【数１００】
2018088718.tif 000514
（11）、
【数１０１】
2018088718.tif 000515
（12）、および
【数１０２】
2018088718.tif 000516
（13）
である、前記ステップと、
を含む、方法。
【請求項２９】
NCS≦du＜NZC／5であるとき、
【数１０３】
2018088718.tif 000517
、dstart、
【数１０４】
2018088718.tif 000518
、および
【数１０５】
2018088718.tif 000519
は式（2）から式（5）を満たし、NZC／5≦du≦（NZC−NCS）／4であるとき、
【数１０６】
2018088718.tif 000520
、dstart、
【数１０７】
2018088718.tif 000521
、および
【数１０８】
2018088718.tif 000522
は式（6）から式（9）を満たし、または、（NZC＋NCS）／4≦du≦（NZC−NCS）／3であるとき、
【数１０９】
2018088718.tif 000523
、dstart、
【数１１０】
2018088718.tif 000524
、および
【数１１１】
2018088718.tif 000525
は式（10）から式（13）を満たし、
duは、ドップラー周波数シフトがPRACHサブキャリア間隔の1倍であるときにZCシーケンスが対応する循環シフトである、請求項28に記載の方法。
【請求項３０】
ランダム・アクセス・チャネル・ZCシーケンスを生成するための方法であって、
ユーザ機器UEが、0から
【数１１２】
2018088718.tif 000526
までの範囲からシフト通し番号vを選択するステップであって、vは正の整数であり、
【数１１３】
2018088718.tif 000527
は1グループ内のUEの候補シーケンスシフトの数であり、
【数１１４】
2018088718.tif 000528
はグループの数であり、
【数１１５】
2018088718.tif 000529
は1グループには不十分な最後の長さの内のUEの候補シーケンスシフトの数である、前記ステップと、
前記UEが、以下の式（1）を用いて前記シフト通し番号vに従って循環シフト値Cvを獲得するステップであって、
【数１１６】
2018088718.tif 000530
（1）
式中、doffsetはシフトオフセットであり、dstartは近隣のグループ間の循環シフト距離であり、
【数１１７】
2018088718.tif 000531
は1グループ内のUEの候補シーケンスシフトの前記数であり、NCSは1ユーザによって占有される循環シフトの数である、前記ステップと、
前記UEが、以下の式（14）を用いて前記循環シフト値Cvに従ってランダム・アクセス・ZCシーケンス
【数１１８】
2018088718.tif 000532
を生成するステップであって、
【数１１９】
2018088718.tif 000533
（14）
式中、NZCはシーケンス長であり、そのルートがuであるZCシーケンスは
【数１２０】
2018088718.tif 000534
として定義され、
【数１２１】
2018088718.tif 000535
、dstart、
【数１２２】
2018088718.tif 000536
、および
【数１２３】
2018088718.tif 000537
は式（2）から式（5）を満たし、または
【数１２４】
2018088718.tif 000538
、dstart、
【数１２５】
2018088718.tif 000539
、および
【数１２６】
2018088718.tif 000540
は式（6）から式（9）を満たし、または
【数１２７】
2018088718.tif 000541
、dstart、
【数１２８】
2018088718.tif 000542
、および
【数１２９】
2018088718.tif 000543
は式（10）から式（13）を満たし、
【数１３０】
2018088718.tif 000544
（2）、
【数１３１】
2018088718.tif 000545
（3）、
【数１３２】
2018088718.tif 000546
（4）、
【数１３３】
2018088718.tif 000547
（5）、
【数１３４】
2018088718.tif 000548
（6）、
【数１３５】
2018088718.tif 000549
（7）、
【数１３６】
2018088718.tif 000550
（8）、
【数１３７】
2018088718.tif 000551
（9）、
【数１３８】
2018088718.tif 000552
（10）、
【数１３９】
2018088718.tif 000553
（11）、
【数１４０】
2018088718.tif 000554
（12）、および
【数１４１】
2018088718.tif 000555
（13）
である、前記ステップと、
を含む、方法。
【請求項３１】
NCS≦du＜NZC／5であるとき、
【数１４２】
2018088718.tif 000556
、dstart、
【数１４３】
2018088718.tif 000557
、および
【数１４４】
2018088718.tif 000558
は式（2）から式（5）を満たし、NZC／5≦du≦（NZC−NCS）／4であるとき、
【数１４５】
2018088718.tif 000559
、dstart、
【数１４６】
2018088718.tif 000560
、および
【数１４７】
2018088718.tif 000561
は式（6）から式（9）を満たし、または、（NZC＋NCS）／4≦du≦（NZC−NCS）／3であるとき、
【数１４８】
2018088718.tif 000562
、dstart、
【数１４９】
2018088718.tif 000563
、および
【数１５０】
2018088718.tif 000564
は式（10）から式（13）を満たし、
duは、ドップラー周波数シフトがPRACHサブキャリア間隔の1倍であるときにZCシーケンスが対応する循環シフトである、請求項30に記載の方法。
【請求項３２】
基地局であって、
通知シグナリングを生成するように構成された、生成モジュールであって、前記通知シグナリングは、ユーザ機器UEに、ランダム・アクセス・セット内の第2の限定セットを用いてランダム・アクセス・ZCシーケンスを生成するよう命令するのに用いられる、前記生成モジュールと、
前記UEが前記第2の限定セットを用いて前記ランダム・アクセス・ZCシーケンスを生成するように、前記UEへ前記通知シグナリングを送信するように構成された、送信モジュールと、
を含み、
前記ランダム・アクセス・セットは非限定セット、第1の限定セット、および前記第2の限定セットを含み、
前記第2の限定セットは、前記UEのドップラー周波数シフトが第1の所定値以上であるときに前記UEが用いる必要のあるランダム・アクセス・セットであり、前記第1の所定値は物理ランダム・アクセス・チャネルPRACHサブキャリア間隔の1倍より大きい、基地局。
【請求項３３】
前記UEの前記ドップラー周波数シフトを獲得するように構成された、獲得モジュール、
をさらに含み、
前記生成モジュールは、前記UEの前記ドップラー周波数シフトが前記第1の所定値以上である場合、前記通知シグナリングを生成するように特に構成されており、前記通知シグナリングは、前記UEに、前記ランダム・アクセス・セット内の前記第2の限定セットを用いて前記ランダム・アクセス・ZCシーケンスを生成するよう命令するのに用いられる、請求項32に記載の基地局。
【請求項３４】
前記生成モジュールは、
前記通知シグナリングを生成する、ように特に構成されており、前記通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられる、請求項32または33に記載の基地局。
【請求項３５】
前記第2の限定セットに従ってシフト通し番号を決定するように構成された、シフト通し番号決定モジュールと、
前記第2の限定セットおよび前記シフト通し番号に従って循環シフト値を獲得するように構成された、循環シフト値決定モジュールと、
前記循環シフト値に従ってZCシーケンスを生成し、前記ZCシーケンスを用いて、前記UEによって送信されたランダム・アクセス・ZCシーケンスを検出するように構成された、ランダム・アクセス・ZCシーケンス検出モジュールであって、前記ランダム・アクセス・ZCシーケンスは前記第2の限定セットを用いて前記UEによって生成される、前記ランダム・アクセス・ZCシーケンス検出モジュールと、
をさらに含む、請求項34に記載の基地局。
【請求項３６】
前記生成モジュールは、
第1の通知シグナリングおよび第2の通知シグナリングを生成する、ように特に構成されており、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングはシフト通し番号を含み、前記シフト通し番号は、前記UEに、前記シフト通し番号および前記セット命令情報によって指示される前記第2の限定セットを用いて前記ランダム・アクセス・ZCシーケンスを生成するよう命令するのに用いられる、請求項32または33に記載の基地局。
【請求項３７】
前記生成モジュールが前記シフト通し番号に従って前記第2の通知シグナリングを生成するように、前記第2の限定セットに従って前記シフト通し番号を決定するように構成された、シフト通し番号決定モジュール、
をさらに含む、請求項36に記載の基地局。
【請求項３８】
前記第2の限定セットおよび前記シフト通し番号に従って循環シフト値を獲得するように構成された、循環シフト値決定モジュールと、
前記循環シフト値に従ってZCシーケンスを生成し、前記ZCシーケンスを用いて、前記UEによって送信されたランダム・アクセス・ZCシーケンスを検出するように構成された、ランダム・アクセス・ZCシーケンス検出モジュールであって、前記ランダム・アクセス・ZCシーケンスは前記第2の限定セットを用いて前記UEによって生成される、前記ランダム・アクセス・ZCシーケンス検出モジュールと、
をさらに含む、請求項37に記載の基地局。
【請求項３９】
前記生成モジュールは、
第1の通知シグナリングおよび第2の通知シグナリングを生成する、ように特に構成されており、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングは循環シフト値を含み、前記循環シフト値は、前記UEに、前記循環シフト値および前記セット命令情報によって指示される前記第2の限定セットを用いて前記ランダム・アクセス・ZCシーケンスを生成するよう命令するのに用いられる、請求項32または33に記載の基地局。
【請求項４０】
前記第2の限定セットに従ってシフト通し番号を決定するように構成された、シフト通し番号決定モジュールと、
前記生成モジュールが前記循環シフト値に従って前記第2の通知シグナリングを生成するように、前記第2の限定セットおよび前記シフト通し番号に従って前記循環シフト値を獲得するように構成された、循環シフト値決定モジュールと、
をさらに含む、請求項39に記載の基地局。
【請求項４１】
前記循環シフト値に従ってZCシーケンスを生成し、前記ZCシーケンスを用いて、前記UEによって送信されたランダム・アクセス・ZCシーケンスを検出するように構成された、ランダム・アクセス・ZCシーケンス検出モジュールであって、前記ランダム・アクセス・ZCシーケンスは前記第2の限定セットを用いて前記UEによって生成される、前記ランダム・アクセス・ZCシーケンス検出モジュール、
をさらに含む、請求項40に記載の基地局。
【請求項４２】
前記循環シフト値決定モジュールは、
以下の式（1）を用いて前記シフト通し番号vに従って前記UEの循環シフト値Cvを獲得する、ように特に構成されており、
【数１５１】
2018088718.tif 000565
（1）
式中、doffsetはシフトオフセットであり、dstartは近隣のグループ間の循環シフト距離であり、vは前記シフト通し番号であり、
【数１５２】
2018088718.tif 000566
は1グループ内のUEの候補シーケンスシフトの数であり、NCSは1ユーザによって占有される循環シフトの数である、請求項35、38、または40のいずれか一項に記載の基地局。
【請求項４３】
前記シフト通し番号決定モジュールは、
0から
【数１５３】
2018088718.tif 000567
までの範囲から前記シフト通し番号vを選択する、ように特に構成されており、vは正の整数であり、
【数１５４】
2018088718.tif 000568
は1グループ内のユーザ機器UEの候補シーケンスシフトの数であり、
【数１５５】
2018088718.tif 000569
はグループの数であり、
【数１５６】
2018088718.tif 000570
は1グループには不十分な最後の長さの内のUEの候補シーケンスシフトの数である、請求項35、37、または40のいずれか一項に記載の基地局。
【請求項４４】
【数１５７】
2018088718.tif 000571
、dstart、
【数１５８】
2018088718.tif 000572
、および
【数１５９】
2018088718.tif 000573
が式（2）から式（5）を満たし、
式（2）から式（5）はそれぞれ、
【数１６０】
2018088718.tif 000574
（2）、
【数１６１】
2018088718.tif 000575
（3）、
【数１６２】
2018088718.tif 000576
（4）、および
【数１６３】
2018088718.tif 000577
（5）
である、請求項42または43に記載の基地局。
【請求項４５】
【数１６４】
2018088718.tif 000578
、dstart、
【数１６５】
2018088718.tif 000579
、および
【数１６６】
2018088718.tif 000580
が式（6）から式（9）を満たし、
式（6）から式（9）はそれぞれ、
【数１６７】
2018088718.tif 000581
（6）、
【数１６８】
2018088718.tif 000582
（7）、
【数１６９】
2018088718.tif 000583
（8）、および
【数１７０】
2018088718.tif 000584
（9）
である、請求項42または43に記載の基地局。
【請求項４６】
【数１７１】
2018088718.tif 000585
、dstart、
【数１７２】
2018088718.tif 000586
、および
【数１７３】
2018088718.tif 000587
が式（10）から式（13）を満たし、
式（10）から式（13）はそれぞれ、
【数１７４】
2018088718.tif 000588
（10）、
【数１７５】
2018088718.tif 000589
（11）、
【数１７６】
2018088718.tif 000590
（12）、および
【数１７７】
2018088718.tif 000591
（13）
である、請求項42または43に記載の基地局。
【請求項４７】
NCS≦du＜NZC／5であるとき、
【数１７８】
2018088718.tif 000592
、dstart、
【数１７９】
2018088718.tif 000593
、および
【数１８０】
2018088718.tif 000594
は式（2）から式（5）を満たし、NZC／5≦du≦（NZC−NCS）／4であるとき、
【数１８１】
2018088718.tif 000595
、dstart、
【数１８２】
2018088718.tif 000596
、および
【数１８３】
2018088718.tif 000597
は式（6）から式（9）を満たし、または、（NZC＋NCS）／4≦du≦（NZC−NCS）／3であるとき、
【数１８４】
2018088718.tif 000598
、dstart、
【数１８５】
2018088718.tif 000599
、および
【数１８６】
2018088718.tif 000600
は式（10）から式（13）を満たし、
duは、ドップラー周波数シフトが前記PRACHサブキャリア間隔の1倍であるときにZCシーケンスが対応する循環シフトである、請求項44から46のいずれか一項に記載の基地局。
【請求項４８】
ユーザ機器UEであって、
基地局から通知シグナリングを受信するように構成された受信モジュールであって、前記通知シグナリングは、前記UEに、ランダム・アクセス・セット内の第2の限定セットを用いてランダム・アクセス・ZCシーケンスを生成するよう命令するのに用いられる、前記受信モジュールと、
前記第2の限定セットに従ってランダム・アクセス・ZCシーケンスを生成するように構成された、生成モジュールと、
を含み、
前記ランダム・アクセス・セットは非限定セット、第1の限定セット、および前記第2の限定セットを含み、前記第2の限定セットは、前記UEのドップラー周波数シフトが第1の所定値以上であるときに前記UEが用いる必要のあるランダム・アクセス・セットであり、前記第1の所定値は物理ランダム・アクセス・チャネルPRACHサブキャリア間隔の1倍より大きい、UE。
【請求項４９】
前記受信モジュールは、
前記基地局から前記通知シグナリングを受信する、ように特に構成されており、前記通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、
前記生成モジュールは、
前記第2の限定セットに従ってシフト通し番号を決定するように構成された、シフト通し番号決定モジュールと、
前記第2の限定セットおよび前記シフト通し番号に従って循環シフト値を獲得するように構成された、循環シフト値決定モジュールと、
前記循環シフト値に従ってランダム・アクセス・ZCシーケンスを生成するように構成された、ランダム・アクセス・ZCシーケンス生成モジュールと、
を含む、請求項48に記載のUE。
【請求項５０】
前記シフト通し番号決定モジュールは、
0から
【数１８７】
2018088718.tif 000601
までの範囲から前記シフト通し番号vを選択し、獲得する、ように特に構成されており、vは正の整数であり、
【数１８８】
2018088718.tif 000602
は1グループ内のUEの候補シーケンスシフトの数であり、
【数１８９】
2018088718.tif 000603
はグループの数であり、
【数１９０】
2018088718.tif 000604
は1グループには不十分な最後の長さの内のUEの候補シーケンスシフトの数である、請求項49に記載のUE。
【請求項５１】
前記受信モジュールは、
前記基地局から第1の通知シグナリングおよび第2の通知シグナリングを受信する、ように特に構成されており、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングはシフト通し番号を含み、前記シフト通し番号は、前記UEに、前記シフト通し番号および前記セット命令情報によって指示される前記第2の限定セットを用いて前記ランダム・アクセス・ZCシーケンスを生成するよう命令するのに用いられ、
前記生成モジュールは、
前記第2の限定セットおよび前記シフト通し番号に従って循環シフト値を獲得するように構成された、循環シフト値決定モジュールと、
前記循環シフト値に従ってランダム・アクセス・ZCシーケンスを生成するように構成された、ランダム・アクセス・ZCシーケンス生成モジュールと、
を含む、請求項48に記載のUE。
【請求項５２】
前記循環シフト値決定モジュールは、
以下の式（1）を用いて前記シフト通し番号vに従って前記循環シフト値Cvを獲得する、ように特に構成されており、
【数１９１】
2018088718.tif 000605
（1）
式中、doffsetはシフトオフセットであり、dstartは近隣のグループ間の循環シフト距離であり、vは前記シフト通し番号であり、
【数１９２】
2018088718.tif 000606
は1グループによって区別されうるユーザの数であり、NCSは1ユーザによって占有される循環シフトの数である、請求項49または51に記載のUE。
【請求項５３】
前記受信モジュールは、
前記基地局から第1の通知シグナリングおよび第2の通知シグナリングを受信する、ように特に構成されており、前記第1の通知シグナリングはセット命令情報を含み、前記セット命令情報は、前記UEに、前記ランダム・アクセス・セット内の前記第2の限定セットを用いて前記ランダム・アクセス・ZCシーケンスを生成するよう命令するのに用いられ、前記第2の通知シグナリングは循環シフト値を含み、前記循環シフト値は、前記UEに、前記循環シフト値および前記セット命令情報によって指示される前記第2の限定セットを用いて前記ランダム・アクセス・ZCシーケンスを生成するよう命令するのに用いられ、
前記生成モジュールは、
前記循環シフト値に従ってランダム・アクセス・ZCシーケンスを生成するように構成された、ランダム・アクセス・ZCシーケンス生成モジュール、
を含む、請求項49に記載のUE。
【請求項５４】
前記ランダム・アクセス・ZCシーケンス生成モジュールは、
以下の式（14）を用いて前記循環シフト値に従ってランダム・アクセス・ZCシーケンス
【数１９３】
2018088718.tif 000607
を生成する、ように特に構成されており、
【数１９４】
2018088718.tif 000608
（14）
式中、NZCはシーケンス長であり、Cvは前記循環シフト値であり、そのルートがuであるZCシーケンスは
【数１９５】
2018088718.tif 000609
として定義される、請求項49、51、または53のいずれか一項に記載のUE。
【請求項５５】
【数１９６】
2018088718.tif 000610
、dstart、
【数１９７】
2018088718.tif 000611
、および
【数１９８】
2018088718.tif 000612
が式（2）から式（5）を満たし、
式（2）から式（5）はそれぞれ、
【数１９９】
2018088718.tif 000613
（2）、
【数２００】
2018088718.tif 000614
（3）、
【数２０１】
2018088718.tif 000615
（4）、および
【数２０２】
2018088718.tif 000616
（5）
である、請求項50または52に記載のUE。
【請求項５６】
【数２０３】
2018088718.tif 000617
、dstart、
【数２０４】
2018088718.tif 000618
、および
【数２０５】
2018088718.tif 000619
が式（6）から式（9）を満たし、
式（6）から式（9）はそれぞれ、
【数２０６】
2018088718.tif 000620
（6）、
【数２０７】
2018088718.tif 000621
（7）、
【数２０８】
2018088718.tif 000622
（8）、および
【数２０９】
2018088718.tif 000623
（9）
である、請求項50または52に記載のUE。
【請求項５７】
【数２１０】
2018088718.tif 000624
、dstart、
【数２１１】
2018088718.tif 000625
、および
【数２１２】
2018088718.tif 000626
が式（10）から式（13）を満たし、
式（10）から式（13）はそれぞれ、
【数２１３】
2018088718.tif 000627
（10）、
【数２１４】
2018088718.tif 000628
（11）、
【数２１５】
2018088718.tif 000629
（12）、および
【数２１６】
2018088718.tif 000630
（13）
である、請求項50または52に記載のUE。
【請求項５８】
NCS≦du＜NZC／5であるとき、
【数２１７】
2018088718.tif 000631
、dstart、
【数２１８】
2018088718.tif 000632
、および
【数２１９】
2018088718.tif 000633
は式（2）から式（5）を満たし、NZC／5≦du≦（NZC−NCS）／4であるとき、
【数２２０】
2018088718.tif 000634
、dstart、
【数２２１】
2018088718.tif 000635
、および
【数２２２】
2018088718.tif 000636
は式（6）から式（9）を満たし、または、（NZC＋NCS）／4≦du≦（NZC−NCS）／3であるとき、
【数２２３】
2018088718.tif 000637
、dstart、
【数２２４】
2018088718.tif 000638
、および
【数２２５】
2018088718.tif 000639
は式（10）から式（13）を満たし、
duは、ドップラー周波数シフトが前記PRACHサブキャリア間隔の1倍であるときにZCシーケンスが対応する循環シフトである、請求項55から57のいずれか一項に記載のUE。
【請求項５９】
基地局であって、
0から
【数２２６】
2018088718.tif 000640
までの範囲からシフト通し番号vを選択するように構成された、シフト通し番号決定モジュールであって、vは正の整数であり、
【数２２７】
2018088718.tif 000641
は1グループ内のユーザ機器UEの候補シーケンスシフトの数であり、
【数２２８】
2018088718.tif 000642
はグループの数であり、
【数２２９】
2018088718.tif 000643
は1グループには不十分な最後の長さの内のUEの候補シーケンスシフトの数である、前記シフト通し番号決定モジュールと、
以下の式（1）を用いて前記シフト通し番号vに従って循環シフト値Cvを獲得するように構成された、循環シフト値決定モジュールであって、
【数２３０】
2018088718.tif 000644
（1）
式中、doffsetはシフトオフセットであり、dstartは近隣のグループ間の循環シフト距離であり、
【数２３１】
2018088718.tif 000645
は1グループによって区別されうるユーザの数であり、NCSは1ユーザによって占有される循環シフトの数であり、
【数２３２】
2018088718.tif 000646
、dstart、
【数２３３】
2018088718.tif 000647
、および
【数２３４】
2018088718.tif 000648
は式（2）から式（5）を満たし、または
【数２３５】
2018088718.tif 000649
、dstart、
【数２３６】
2018088718.tif 000650
、および
【数２３７】
2018088718.tif 000651
は式（6）から式（9）を満たし、または
【数２３８】
2018088718.tif 000652
、dstart、
【数２３９】
2018088718.tif 000653
、および
【数２４０】
2018088718.tif 000654
は式（10）から式（13）を満たし、
【数２４１】
2018088718.tif 000655
（2）、
【数２４２】
2018088718.tif 000656
（3）、
【数２４３】
2018088718.tif 000657
（4）、
【数２４４】
2018088718.tif 000658
（5）、
【数２４５】
2018088718.tif 000659
（6）、
【数２４６】
2018088718.tif 000660
（7）、
【数２４７】
2018088718.tif 000661
（8）、
【数２４８】
2018088718.tif 000662
（9）、
【数２４９】
2018088718.tif 000663
（10）、
【数２５０】
2018088718.tif 000664
（11）、
【数２５１】
2018088718.tif 000665
（12）、および
【数２５２】
2018088718.tif 000666
（13）
である、前記循環シフト値決定モジュールと、
を含む、基地局。
【請求項６０】
NCS≦du＜NZC／5であるとき、
【数２５３】
2018088718.tif 000667
、dstart、
【数２５４】
2018088718.tif 000668
、および
【数２５５】
2018088718.tif 000669
は式（2）から式（5）を満たし、NZC／5≦du≦（NZC−NCS）／4であるとき、
【数２５６】
2018088718.tif 000670
、dstart、
【数２５７】
2018088718.tif 000671
、および
【数２５８】
2018088718.tif 000672
は式（6）から式（9）を満たし、または、（NZC＋NCS）／4≦du≦（NZC−NCS）／3であるとき、
【数２５９】
2018088718.tif 000673
、dstart、
【数２６０】
2018088718.tif 000674
、および
【数２６１】
2018088718.tif 000675
は式（10）から式（13）を満たし、
duは、ドップラー周波数シフトがPRACHサブキャリア間隔の1倍であるときにZCシーケンスが対応する循環シフトである、請求項59に記載の基地局。
【請求項６１】
ユーザ機器UEであって、
0から
【数２６２】
2018088718.tif 000676
までの範囲からシフト通し番号vを選択するように構成された、シフト通し番号決定モジュールであって、vは正の整数であり、
【数２６３】
2018088718.tif 000677
は1グループ内のUEの候補シーケンスシフトの数であり、
【数２６４】
2018088718.tif 000678
はグループの数であり、
【数２６５】
2018088718.tif 000679
は1グループには不十分な最後の長さの内のUEの候補シーケンスシフトの数である、前記シフト通し番号決定モジュールと、
以下の式（1）を用いて前記シフト通し番号vに従って循環シフト値Cvを獲得するように構成された、循環シフト値決定モジュールであって、
【数２６６】
2018088718.tif 000680
（1）
式中、doffsetはシフトオフセットであり、dstartは近隣のグループ間の循環シフト距離であり、
【数２６７】
2018088718.tif 000681
は1グループ内のUEの候補シーケンスシフトの前記数であり、NCSは1ユーザによって占有される循環シフトの数である、前記循環シフト値決定モジュールと、
以下の式（14）を用いて前記循環シフト値Cvに従ってランダム・アクセス・ZCシーケンス
【数２６８】
2018088718.tif 000682
を生成するように構成された、ランダム・アクセス・ZCシーケンス生成モジュールであって、
【数２６９】
2018088718.tif 000683
（14）
式中、NZCはシーケンス長であり、そのルートがuであるZCシーケンスは
【数２７０】
2018088718.tif 000684
として定義され、
【数２７１】
2018088718.tif 000685
、dstart、
【数２７２】
2018088718.tif 000686
、および
【数２７３】
2018088718.tif 000687
は式（2）から式（5）を満たし、または
【数２７４】
2018088718.tif 000688
、dstart、
【数２７５】
2018088718.tif 000689
、および
【数２７６】
2018088718.tif 000690
は式（6）から式（9）を満たし、または
【数２７７】
2018088718.tif 000691
、dstart、
【数２７８】
2018088718.tif 000692
、および
【数２７９】
2018088718.tif 000693
は式（10）から式（13）を満たし、
【数２８０】
2018088718.tif 000694
（2）、
【数２８１】
2018088718.tif 000695
（3）、
【数２８２】
2018088718.tif 000696
（4）、
【数２８３】
2018088718.tif 000697
（5）、
【数２８４】
2018088718.tif 000698
（6）、
【数２８５】
2018088718.tif 000699
（7）、
【数２８６】
2018088718.tif 000700
（8）、
【数２８７】
2018088718.tif 000701
（9）、
【数２８８】
2018088718.tif 000702
（10）、
【数２８９】
2018088718.tif 000703
（11）、
【数２９０】
2018088718.tif 000704
（12）、および
【数２９１】
2018088718.tif 000705
（13）
である、前記ランダム・アクセス・ZCシーケンス生成モジュールと、
を含む、UE。
【請求項６２】
NCS≦du＜NZC／5であるとき、
【数２９２】
2018088718.tif 000706
、dstart、
【数２９３】
2018088718.tif 000707
、および
【数２９４】
2018088718.tif 000708
は式（2）から式（5）を満たし、NZC／5≦du≦（NZC−NCS）／4であるとき、
【数２９５】
2018088718.tif 000709
、dstart、
【数２９６】
2018088718.tif 000710
、および
【数２９７】
2018088718.tif 000711
は式（6）から式（9）を満たし、または、（NZC＋NCS）／4≦du≦（NZC−NCS）／3であるとき、
【数２９８】
2018088718.tif 000712
、dstart、
【数２９９】
2018088718.tif 000713
、および
【数３００】
2018088718.tif 000714
は式（10）から式（13）を満たし、
duは、ドップラー周波数シフトがPRACHサブキャリア間隔の1倍であるときにZCシーケンスが対応する循環シフトである、請求項61に記載のUE。
【発明の詳細な説明】
【技術分野】
【０００１】
本出願は、参照によりその全体が本明細書に組み入れられる、2014年6月3日付で中国特許庁に出願された中国特許出願第PCT／CN2014／079086号の優先権を主張するものである。
【０００２】
本発明は通信技術に関し、詳細には、ランダム・アクセス・チャネル・ZCシーケンスを生成するための方法、および装置に関する。
【背景技術】
【０００３】
ユーザ機器（UE、User Equipment）が高速移動中に基地局と通信するときにはUEの受信端と基地局の受信端の周波数が変化することがあり、これをドップラー周波数シフトfDという。fD＝fv／cであり、式中、fは搬送波周波数であり、vは移動速度であり、cは光速である。
【０００４】
既存のロング・ターム・エボルーション（LTE、Long Term Evolution）システムにおいては、乗り物の速度が350km／時であり、搬送波周波数が2．6GHzであるとき、対応するドップラーオフセットは
【数１】
2018088718.tif 000003
であり、式中、843Hzは1物理ランダム・アクセス・チャネル（PRACH、Physical Random Access Channel）サブキャリア間隔（すなわち、1．25KHz）より小さい。ドップラー周波数シフトによって生じる複数のUEランダム・アクセス・シーケンス間の相互干渉を回避するために、既存のLTEシステムは高速移動中の端末のために専用に設計されており、この設計は、ドップラー周波数シフトがPRACHサブキャリア間隔の1倍より小さいという前提に基づくものである。しかし、無線通信の要件が絶え間なく増大するに従い、LTEシステムが高い動作周波数で通信を行うときに、ドップラー周波数シフトはPRACHサブキャリア間隔の1倍より大きく、PRACHサブキャリア間隔の2倍より小さいものとなる可能性がある。
【０００５】
しかし、既存のLTEシステムでは、ドップラー周波数シフトがPRACHサブキャリア間隔の1倍より大きく、PRACHサブキャリア間隔の2倍より小さいときには、複数のUEランダム・アクセス・シーケンス間の相互干渉の問題が生じる。
【発明の概要】
【課題を解決するための手段】
【０００６】
本発明の実施形態は、ランダム・アクセス・チャネル・ZCシーケンスを生成するための方法、および装置を提供する。
【０００７】
本発明の実施形態は、ランダム・アクセス・チャネル・ZCシーケンスを生成するための方法を提供し、本方法は、
基地局が、通知シグナリングを生成するステップであって、通知シグナリングは、ユーザ機器UEに、ランダム・アクセス・セット内の第2の限定セットを用いてランダム・アクセス・ZCシーケンスを生成するよう命令するのに用いられる、ステップと、
基地局が、UEが第2の限定セットを用いてランダム・アクセス・ZCシーケンスを生成するように、UEへ通知シグナリングを送信するステップと、
を含み、
ランダム・アクセス・セットは非限定セット、第1の限定セット、および第2の限定セットを含み、
第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【０００８】
本発明の実施形態は、ランダム・アクセス・チャネル・ZCシーケンスを生成するための方法をさらに提供し、本方法は、
ユーザ機器UEが、基地局から通知シグナリングを受信するステップであって、通知シグナリングは、UEに、ランダム・アクセス・セット内の第2の限定セットを用いてランダム・アクセス・ZCシーケンスを生成するよう命令するのに用いられる、ステップと、
UEが、第2の限定セットに従ってランダム・アクセス・ZCシーケンスを生成するステップと、
を含み、
ランダム・アクセス・セットは非限定セット、第1の限定セット、および第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【０００９】
本発明の実施形態は、ランダム・アクセス・チャネル・ZCシーケンスを生成するための方法をさらに提供し、本方法は、
基地局が、0から
【数２】
2018088718.tif 000004
までの範囲からシフト通し番号vを選択するステップであって、vは正の整数であり、
【数３】
2018088718.tif 000005
は1グループ内のユーザ機器UEの候補シーケンスシフトの数であり、
【数４】
2018088718.tif 000006
はグループの数であり、
【数５】
2018088718.tif 000007
は1グループには不十分な最後の長さの内のUEの候補シーケンスシフトの数である、ステップと、
基地局が、以下の式（1）を用いてシフト通し番号Cvに従って循環シフト値vを獲得するステップであって、
【数６】
2018088718.tif 000008
（1）
式中、doffsetはシフトオフセットであり、dstartは近隣のグループ間の循環シフト距離であり、
【数７】
2018088718.tif 000009
は1グループによって区別されうるユーザの数であり、NCSは1ユーザによって占有される循環シフトの数であり、
【数８】
2018088718.tif 000010
、dstart、
【数９】
2018088718.tif 000011
、および
【数１０】
2018088718.tif 000012
は式（2）から式（5）を満たし、または
【数１１】
2018088718.tif 000013
、dstart、
【数１２】
2018088718.tif 000014
、および
【数１３】
2018088718.tif 000015
は式（6）から式（9）を満たし、または
【数１４】
2018088718.tif 000016
、dstart、
【数１５】
2018088718.tif 000017
、および
【数１６】
2018088718.tif 000018
は式（10）から式（13）を満たし、
【数１７】
2018088718.tif 000019
（2）、
【数１８】
2018088718.tif 000020
（3）、
【数１９】
2018088718.tif 000021
（4）、
【数２０】
2018088718.tif 000022
（5）、
【数２１】
2018088718.tif 000023
（6）、
【数２２】
2018088718.tif 000024
（7）、
【数２３】
2018088718.tif 000025
（8）、
【数２４】
2018088718.tif 000026
（9）、
【数２５】
2018088718.tif 000027
（10）、
【数２６】
2018088718.tif 000028
（11）、
【数２７】
2018088718.tif 000029
（12）、および
【数２８】
2018088718.tif 000030
（13）
である、ステップと、
を含む。
【００１０】
本発明の実施形態は、ランダム・アクセス・チャネル・ZCシーケンスを生成するための方法をさらに提供し、本方法は、
ユーザ機器UEが、0から
【数２９】
2018088718.tif 000031
までの範囲からシフト通し番号vを選択するステップであって、vは正の整数であり、
【数３０】
2018088718.tif 000032
は1グループ内のUEの候補シーケンスシフトの数であり、
【数３１】
2018088718.tif 000033
はグループの数であり、
【数３２】
2018088718.tif 000034
は1グループには不十分な最後の長さの内のUEの候補シーケンスシフトの数である、ステップと、
UEが、以下の式（1）を用いてシフト通し番号vに従って循環シフト値Cvを獲得するステップであって、
【数３３】
2018088718.tif 000035
（1）
式中、doffsetはシフトオフセットであり、dstartは近隣のグループ間の循環シフト距離であり、
【数３４】
2018088718.tif 000036
は1グループによって区別されうるユーザの数であり、NCSは1ユーザによって占有される循環シフトの数である、ステップと、
UEが、以下の式（14）を用いて循環シフト値Cvに従ってランダム・アクセス・ZCシーケンス
【数３５】
2018088718.tif 000037
を生成するステップであって、
【数３６】
2018088718.tif 000038
（14）
式中、NZCはシーケンス長であり、そのルートがuであるZCシーケンスは
【数３７】
2018088718.tif 000039
として定義され、
【数３８】
2018088718.tif 000040
、dstart、
【数３９】
2018088718.tif 000041
、および
【数４０】
2018088718.tif 000042
は式（2）から式（5）を満たし、または
【数４１】
2018088718.tif 000043
、dstart、
【数４２】
2018088718.tif 000044
、および
【数４３】
2018088718.tif 000045
は式（6）から式（9）を満たし、または
【数４４】
2018088718.tif 000046
、dstart、
【数４５】
2018088718.tif 000047
、および
【数４６】
2018088718.tif 000048
は式（10）から式（13）を満たし、
【数４７】
2018088718.tif 000049
（2）、
【数４８】
2018088718.tif 000050
（3）、
【数４９】
2018088718.tif 000051
（4）、
【数５０】
2018088718.tif 000052
（5）、
【数５１】
2018088718.tif 000053
（6）、
【数５２】
2018088718.tif 000054
（7）、
【数５３】
2018088718.tif 000055
（8）、
【数５４】
2018088718.tif 000056
（9）、
【数５５】
2018088718.tif 000057
（10）、
【数５６】
2018088718.tif 000058
（11）、
【数５７】
2018088718.tif 000059
（12）、および
【数５８】
2018088718.tif 000060
（13）
である、ステップと、
を含む。
【００１１】
本発明の実施形態は基地局を提供し、本基地局は、
通知シグナリングを生成するように構成された、生成モジュールであって、通知シグナリングは、ユーザ機器UEに、ランダム・アクセス・セット内の第2の限定セットを用いてランダム・アクセス・ZCシーケンスを生成するよう命令するのに用いられる、生成モジュールと、
UEが第2の限定セットを用いてランダム・アクセス・ZCシーケンスを生成するように、UEへ通知シグナリングを送信するように構成された、送信モジュールと、
を含み、
ランダム・アクセス・セットは非限定セット、第1の限定セット、および第2の限定セットを含み、
第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【００１２】
本発明の実施形態はユーザ機器UEを提供し、本UEは、
基地局から通知シグナリングを受信するように構成された受信モジュールであって、通知シグナリングは、UEに、ランダム・アクセス・セット内の第2の限定セットを用いてランダム・アクセス・ZCシーケンスを生成するよう命令するのに用いられる、受信モジュールと、
第2の限定セットに従ってランダム・アクセス・ZCシーケンスを生成するように構成された、生成モジュールと、
を含み、
ランダム・アクセス・セットは非限定セット、第1の限定セット、および第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【００１３】
本発明の実施形態は基地局をさらに提供し、本基地局は、
0から
【数５９】
2018088718.tif 000061
までの範囲からシフト通し番号vを選択するように構成された、シフト通し番号決定モジュールであって、vは正の整数であり、
【数６０】
2018088718.tif 000062
は1グループ内のユーザ機器UEの候補シーケンスシフトの数であり、
【数６１】
2018088718.tif 000063
はグループの数であり、
【数６２】
2018088718.tif 000064
は1グループには不十分な最後の長さの内のUEの候補シーケンスシフトの数である、シフト通し番号決定モジュールと、
以下の式（1）を用いてシフト通し番号vに従って循環シフト値Cvを獲得するように構成された、循環シフト値決定モジュールであって、
【数６３】
2018088718.tif 000065
（1）
式中、doffsetはシフトオフセットであり、dstartは近隣のグループ間の循環シフト距離であり、
【数６４】
2018088718.tif 000066
は1グループによって区別されうるユーザの数であり、NCSは1ユーザによって占有される循環シフトの数であり、
【数６５】
2018088718.tif 000067
、dstart、
【数６６】
2018088718.tif 000068
、および
【数６７】
2018088718.tif 000069
は式（2）から式（5）を満たし、または
【数６８】
2018088718.tif 000070
、dstart、
【数６９】
2018088718.tif 000071
、および
【数７０】
2018088718.tif 000072
は式（6）から式（9）を満たし、または
【数７１】
2018088718.tif 000073
、dstart、
【数７２】
2018088718.tif 000074
、および
【数７３】
2018088718.tif 000075
は式（10）から式（13）を満たし、
【数７４】
2018088718.tif 000076
（2）、
【数７５】
2018088718.tif 000077
（3）、
【数７６】
2018088718.tif 000078
（4）、
【数７７】
2018088718.tif 000079
（5）、
【数７８】
2018088718.tif 000080
（6）、
【数７９】
2018088718.tif 000081
（7）、
【数８０】
2018088718.tif 000082
（8）、
【数８１】
2018088718.tif 000083
（9）、
【数８２】
2018088718.tif 000084
（10）、
【数８３】
2018088718.tif 000085
（11）、
【数８４】
2018088718.tif 000086
（12）、および
【数８５】
2018088718.tif 000087
（13）、
である、循環シフト値決定モジュールと、
を含む。
【００１４】
本発明の実施形態はユーザ機器UEをさらに提供し、本UEは、
0から
【数８６】
2018088718.tif 000088
までの範囲からシフト通し番号vを選択するように構成された、シフト通し番号決定モジュールであって、vは正の整数であり、
【数８７】
2018088718.tif 000089
は1グループ内のUEの候補シーケンスシフトの数であり、
【数８８】
2018088718.tif 000090
はグループの数であり、
【数８９】
2018088718.tif 000091
は1グループには不十分な最後の長さの内のUEの候補シーケンスシフトの数である、シフト通し番号決定モジュールと、
以下の式（1）を用いてシフト通し番号vに従って循環シフト値Cvを獲得するように構成された、循環シフト値決定モジュールであって、
【数９０】
2018088718.tif 000092
（1）
式中、doffsetはシフトオフセットであり、dstartは近隣のグループ間の循環シフト距離であり、
【数９１】
2018088718.tif 000093
は1グループによって区別されうるユーザの数であり、NCSは1ユーザによって占有される循環シフトの数である、循環シフト値決定モジュールと、
以下の式（14）を用いて循環シフト値Cvに従ってランダム・アクセス・ZCシーケンス
【数９２】
2018088718.tif 000094
を生成するように構成された、ランダム・アクセス・ZCシーケンス生成モジュールであって、
【数９３】
2018088718.tif 000095
（14）
式中、NZCはシーケンス長であり、そのルートがuであるZCシーケンスは
【数９４】
2018088718.tif 000096
として定義され、
【数９５】
2018088718.tif 000097
、dstart、
【数９６】
2018088718.tif 000098
、および
【数９７】
2018088718.tif 000099
は式（2）から式（5）を満たし、または
【数９８】
2018088718.tif 000100
、dstart、
【数９９】
2018088718.tif 000101
、および
【数１００】
2018088718.tif 000102
は式（6）から式（9）を満たし、または
【数１０１】
2018088718.tif 000103
、dstart、
【数１０２】
2018088718.tif 000104
、および
【数１０３】
2018088718.tif 000105
は式（10）から式（13）を満たし、
【数１０４】
2018088718.tif 000106
（2）、
【数１０５】
2018088718.tif 000107
（3）、
【数１０６】
2018088718.tif 000108
（4）、
【数１０７】
2018088718.tif 000109
（5）、
【数１０８】
2018088718.tif 000110
（6）、
【数１０９】
2018088718.tif 000111
（7）、
【数１１０】
2018088718.tif 000112
（8）、
【数１１１】
2018088718.tif 000113
（9）、
【数１１２】
2018088718.tif 000114
（10）、
【数１１３】
2018088718.tif 000115
（11）、
【数１１４】
2018088718.tif 000116
（12）、および
【数１１５】
2018088718.tif 000117
（13）、
である、ランダム・アクセス・ZCシーケンス生成モジュールと、
を含む。
【００１５】
本発明の実施形態は、ランダム・アクセス・チャネル・ZCシーケンスを生成するための方法、および装置を提供する。UEのドップラー周波数シフトが第1の所定値（第1の所定値はPRACHサブキャリア間隔の1倍より大きい）以上であるときに、基地局は、UEに第2の限定セットを用いてランダム・アクセス・ZCシーケンスを生成するよう命令するために、用いられる必要のあるランダム・アクセス・セットが第2の限定セットであることをUEに通知し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【図面の簡単な説明】
【００１６】
【図１】本発明によるランダム・アクセス・チャネル・ZCシーケンスを生成するための方法の実施形態1の流れ図である。
【図２】本発明によるランダム・アクセス・チャネル・ZCシーケンスを生成するための方法の実施形態3の流れ図である。
【図３】本発明の一実施形態によるシナリオ1の概略的構造図である。
【図４】本発明の一実施形態によるシナリオ2の概略的構造図である。
【図５Ａ】本発明の一実施形態によるシナリオ3の第1の概略的構造図である。
【図５Ｂ】本発明の一実施形態によるシナリオ3の第2の概略的構造図である。
【図６】本発明によるランダム・アクセス・チャネル・ZCシーケンスを生成するための方法の実施形態4の流れ図である。
【図７】本発明によるランダム・アクセス・チャネル・ZCシーケンスを生成するための方法の実施形態5の流れ図である。
【図８】本発明によるランダム・アクセス・チャネル・ZCシーケンスを生成するための方法の実施形態6の流れ図である。
【図９】本発明によるランダム・アクセス・チャネル・ZCシーケンスを生成するための方法の実施形態7の流れ図である。
【図１０】本発明によるランダム・アクセス・チャネル・ZCシーケンスを生成するための方法の実施形態8の流れ図である。
【図１１】本発明によるランダム・アクセス・チャネル・ZCシーケンスを生成するための方法の実施形態9の流れ図である。
【図１２】本発明によるランダム・アクセス・チャネル・ZCシーケンスを生成するための方法の実施形態10の流れ図である。
【図１３】本発明によるランダム・アクセス・チャネル・ZCシーケンスを生成するための方法の実施形態11の流れ図である。
【図１４】本発明による基地局の実施形態1の概略的構造図である。
【図１５】本発明による基地局の実施形態2の概略的構造図である。
【図１６】本発明による基地局の実施形態3の概略的構造図である。
【図１７】本発明による基地局の実施形態4の概略的構造図である。
【図１８】本発明による基地局の実施形態5の概略的構造図である。
【図１９】本発明による基地局の実施形態6の概略的構造図である。
【図２０】本発明によるユーザ機器の実施形態1の概略的構造図である。
【図２１】本発明によるユーザ機器の実施形態2の概略的構造図である。
【図２２】本発明によるユーザ機器の実施形態3の概略的構造図である。
【図２３】本発明によるユーザ機器の実施形態4の概略的構造図である。
【図２４】本発明によるユーザ機器の実施形態5の概略的構造図である。
【発明を実施するための形態】
【００１７】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００１８】
図1は、本発明によるランダム・アクセス・チャネル・ZCシーケンスを生成するための方法の実施形態1の流れ図である。図1に示すように、本実施形態の方法は以下のステップを含むことができる。
【００１９】
ステップ101：基地局が通知シグナリングを生成し、通知シグナリングは、ユーザ機器UEに、ランダム・アクセス・セット内の第2の限定セットを用いてランダム・アクセス・ZCシーケンスを生成するよう命令するのに用いられる。
【００２０】
ランダム・アクセス・セットは非限定セット、第1の限定セット、および第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【００２１】
第1の限定セットは、UEのドップラー周波数シフトが第2の所定値以上であるときにUEが用いる必要のあるランダム・アクセス・セットであり、非限定セットは、UEのドップラー周波数シフトが第3の所定値以下であるときにUEが用いる必要のあるランダム・アクセス・セットであり、第2の所定値は第1の所定値より小さく、第3の所定値は第2の所定値より小さい、ことに留意すべきである。
【００２２】
ステップ102：基地局は、UEが第2の限定セットを用いてランダム・アクセス・ZCシーケンスを生成するように、UEへ通知シグナリングを送信する。
【００２３】
先行技術では、ドップラー周波数シフトによって生じる複数のUEランダム・アクセス・シーケンス間の相互干渉を回避するために、既存のLTEシステムが専用に設計されており、この設計は、ドップラー周波数シフトがPRACHサブキャリア間隔の1倍より小さいという前提に基づくものである。本発明では、UEのドップラー周波数シフトが第1の所定値（第1の所定値はPRACHサブキャリア間隔の1倍より大きい）以上であるときに、基地局は、UEに第2の限定セットを用いてランダム・アクセス・ZCシーケンスを生成するよう命令するために、用いられる必要のあるランダム・アクセス・セットが第2の限定セットであることをUEに通知する。
【００２４】
先行技術では、ドップラー周波数シフトによって生じる複数のUEランダム・アクセス・シーケンス間の相互干渉を回避するために、既存のLTEシステムが専用に設計されており、この設計は、ドップラー周波数シフトがPRACHサブキャリア間隔の1倍より小さいという前提に基づくものである。しかし、無線通信の要件が絶え間なく増大するに従い、LTEシステムが高い動作周波数で通信を行うときに、ドップラー周波数シフトがPRACHサブキャリア間隔の1倍より大きく、PRACHサブキャリア間隔の2倍より小さい事例が発生する可能性がある。既存のLTEシステムでは、ドップラー周波数シフトがPRACHサブキャリア間隔の1倍より大きく、PRACHサブキャリア間隔の2倍より小さいときには、複数のUEランダム・アクセス・シーケンス間の相互干渉の問題が生じる。本発明では、UEのドップラー周波数シフトが第1の所定値（第1の所定値はPRACHサブキャリア間隔の1倍より大きい）以上であるときに、基地局は、UEに第2の限定セットを用いてランダム・アクセス・ZCシーケンスを生成するよう命令するために、用いられる必要のあるランダム・アクセス・セットが第2の限定セットであることをUEに通知し、これによって、ドップラー周波数シフトがPRACHサブキャリア間隔の1倍より大きく、PRACHサブキャリア間隔の2倍より小さい場合のLTEシステムのための専用の設計が実現され、そのため、ドップラー周波数シフトがPRACHサブキャリア間隔の1倍より大きく、PRACHサブキャリア間隔の2倍より小さいときの複数のUEランダム・アクセス・シーケンス間の相互干渉が回避され、基地局によるランダム・アクセス・シーケンス復号の正確さが改善される。
【００２５】
本実施形態では、UEのドップラー周波数シフトが第1の所定値（第1の所定値はPRACHサブキャリア間隔の1倍より大きい）以上であるときに、基地局が、UEに第2の限定セットを用いてランダム・アクセス・ZCシーケンスを生成するよう命令するために、用いられる必要のあるランダム・アクセス・セットが第2の限定セットであることをUEに通知し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【００２６】
ランダム・アクセス・チャネル・ZCシーケンスを生成するための方法の実施形態2
【００２７】
図1に示すランダム・アクセス・チャネル・ZCシーケンスを生成するための方法の実施形態1のステップ101の前に、本方法は、基地局が、UEのドップラー周波数シフトを獲得するステップと、UEのドップラー周波数シフトが第1の所定値以上である場合、ステップ101を行うステップと、をさらに含むことができる。
【００２８】
第1の所定値はPRACHサブキャリア間隔の1倍より大きい。
【００２９】
例えば、第1の所定値はPRACHサブキャリア間隔の1．5倍とすることができる。
【００３０】
任意選択で、基地局はUEの移動速度を獲得し、移動速度に従ってドップラー周波数シフトを決定する。
【００３１】
ドップラー周波数シフトfD＝fv／cであり、式中、fは搬送波周波数であり、vは移動速度であり、cは光速である。
【００３２】
本実施形態では、UEのドップラー周波数シフトが獲得され、UEのドップラー周波数シフトが第1の所定値（第1の所定値はPRACHサブキャリア間隔の1倍より大きい）以上であるときに、基地局が、UEに第2の限定セットを用いてランダム・アクセス・ZCシーケンスを生成するよう命令するために、用いられる必要のあるランダム・アクセス・セットが第2の限定セットであることをUEに通知し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【００３３】
図2は、本発明によるランダム・アクセス・チャネル・ZCシーケンスを生成するための方法の実施形態3の流れ図である。図2に示すように、本実施形態の方法は以下のステップを含むことができる。
【００３４】
ステップ201：基地局が通知シグナリングを生成し、通知シグナリングはセット命令情報を含み、セット命令情報は、UEに、ランダム・アクセス・セット内の第2の限定セットを用いてランダム・アクセス・ZCシーケンスを生成するよう命令するのに用いられる。
【００３５】
ランダム・アクセス・セットは非限定セット、第1の限定セット、および第2の限定セットを含む。
【００３６】
第2の限定セットは、UEのドップラー周波数シフトが第1の所定値以上であるときにUEが用いる必要のあるランダム・アクセス・セットである。
【００３７】
非限定セットと第1の限定セットと第2の限定セットとの関係はステップ101での関係と同じであることに留意すべきであり、ここでは詳細を繰り返さない。
【００３８】
ステップ202：基地局は、UEが第2の限定セットを用いてランダム・アクセス・ZCシーケンスを生成するように、UEへ通知シグナリングを送信する。
【００３９】
ステップ203：基地局は第2の限定セットに従ってシフト通し番号を決定する。
【００４０】
任意選択で、基地局は、0から
【数１１６】
2018088718.tif 000118
までの範囲からシフト通し番号vを選択し、vは正の整数であり、
【数１１７】
2018088718.tif 000119
は1グループ内のUEの候補シーケンスシフトの数であり、
【数１１８】
2018088718.tif 000120
はグループの数であり、
【数１１９】
2018088718.tif 000121
は1グループには不十分な最後の長さの内のUEの候補シーケンスシフトの数である。
【００４１】
任意選択で、基地局は、UEがランダム・アクセス・ZCシーケンスを送信するときに用いられるシフト通し番号を知ることができず、したがって、UEによって送信されたランダム・アクセス・ZCシーケンスを検出したときに、基地局は、0から
【数１２０】
2018088718.tif 000122
までの範囲内のすべてのシフト通し番号を順次に選択し、トラバースし、または基地局は、0からXまでの範囲内のすべてのシフト通し番号を順次に選択し、トラバースし、Xは
【数１２１】
2018088718.tif 000123
より小さい整数である。
【００４２】
ステップ204：基地局は第2の限定セットおよびシフト通し番号に従って循環シフト値を獲得する。
【００４３】
任意選択で、基地局は、以下の式（1）を用いてシフト通し番号vに従ってUEの循環シフト値Cvを獲得し、
【数１２２】
2018088718.tif 000124
（1）
式中、doffsetはシフトオフセットであり、dstartは近隣のグループ間の循環シフト距離であり、vはシフト通し番号であり、
【数１２３】
2018088718.tif 000125
は1グループによって区別されうるユーザの数であり、NCSは1ユーザによって占有される循環シフトの数である。
【００４４】
doffsetは（一般に整数定数である）整数であり、基地局側で用いられるdoffsetとUE側で用いられるdoffsetとは同じである必要があることに留意すべきである。任意選択で、基地局側とUE側とは事前の合意によって同じ値のdoffsetを使用してもよい。例えば、doffset＝0である。
【００４５】
本発明では、
【数１２４】
2018088718.tif 000126
は切り捨てYを表し、すなわち、Yが2．5である場合、
【数１２５】
2018088718.tif 000127
は2であることに留意すべきである。例えば、
【数１２６】
2018088718.tif 000128
は
【数１２７】
2018088718.tif 000129
の切り捨てを表す。
【００４６】
本発明では、modはモジュロ演算を表すことに留意すべきである。例えば、4mod2＝0であり、5mod2＝1である。
【００４７】
ステップ205：基地局は循環シフト値に従ってZCシーケンスを生成し、ZCシーケンスを用いて、UEによって送信されたランダム・アクセス・ZCシーケンスを検出し、ランダム・アクセス・ZCシーケンスは第2の限定セットを用いてUEによって生成される。
【００４８】
そのルートがuであるZCシーケンスxu（n）は
【数１２８】
2018088718.tif 000130
として定義することができ、NZCはZCシーケンスの長さであり、uはZCシーケンスのルートである。
【００４９】
具体的には、基地局はそのルートがuであるZCシーケンスxu（n）に対する循環シフトを行う。循環シフト値がKである場合、循環シフト値に従って生成されるZCシーケンスはxu（（n＋K）mod NZC）であり、NZCはZCシーケンスの長さである。
【００５０】
任意選択で、基地局は、循環シフト値に従って生成されたZCシーケンスを用いて、UEによって送信されたランダム・アクセス・ZCシーケンスに対する相関検出を行う。相関検出は時間領域で行われてもよく、または、検出は、時間領域相関検出方式に対応する周波数領域検出方式で、周波数領域で行われてもよい。
【００５１】
任意選択で、本実施形態のステップ203およびステップ204の
【数１２９】
2018088718.tif 000131
、dstart、
【数１３０】
2018088718.tif 000132
、および
【数１３１】
2018088718.tif 000133
は、以下の式（2）から式（5）を満たす、
【数１３２】
2018088718.tif 000134
（2）、
【数１３３】
2018088718.tif 000135
（3）、
【数１３４】
2018088718.tif 000136
（4）、および
【数１３５】
2018088718.tif 000137
（5）。
【００５２】
あるいは、本実施形態のステップ203およびステップ204の
【数１３６】
2018088718.tif 000138
、dstart、
【数１３７】
2018088718.tif 000139
、および
【数１３８】
2018088718.tif 000140
は、以下の式（6）から式（9）を満たす、
【数１３９】
2018088718.tif 000141
（6）、
【数１４０】
2018088718.tif 000142
（7）、
【数１４１】
2018088718.tif 000143
（8）、および
【数１４２】
2018088718.tif 000144
（9）。
【００５３】
あるいは、本実施形態のステップ203およびステップ204の
【数１４３】
2018088718.tif 000145
、dstart、
【数１４４】
2018088718.tif 000146
、および
【数１４５】
2018088718.tif 000147
は、以下の式（10）から式（13）を満たす、
【数１４６】
2018088718.tif 000148
（10）、
【数１４７】
2018088718.tif 000149
（11）、
【数１４８】
2018088718.tif 000150
（12）、および
【数１４９】
2018088718.tif 000151
（13）。
【００５４】
任意選択で、NCS≦du＜NZC／5であるとき、
【数１５０】
2018088718.tif 000152
、dstart、
【数１５１】
2018088718.tif 000153
、および
【数１５２】
2018088718.tif 000154
は式（2）から式（5）を満たし、NZC／5≦du≦（NZC−NCS）／4であるとき、
【数１５３】
2018088718.tif 000155
、dstart、
【数１５４】
2018088718.tif 000156
、および
【数１５５】
2018088718.tif 000157
は式（6）から式（9）を満たし、または、（NZC＋NCS）／4≦du≦（NZC−NCS）／3であるとき、
【数１５６】
2018088718.tif 000158
、dstart、
【数１５７】
2018088718.tif 000159
、および
【数１５８】
2018088718.tif 000160
は式（10）から式（13）を満たし、duは、ドップラー周波数シフトがPRACHサブキャリア間隔の1倍であるときにZCシーケンスが対応する循環シフトである。
【００５５】
本発明では、maxは最大値を求める関数ことを表し、例えば、max（0，1）＝1であり、max（4，5）＝5であり、minは最小値を求める関数を表し、例えば、min（0，1）＝0であり、min（4，5）＝4であることに留意すべきである。
【００５６】
本明細書では3つの異なるシナリオだけが提供されているが、式（2）から式（5）を満たし、または式（6）から式（9）を満たし、または式（10）から式（13）を満たす任意の
【数１５９】
2018088718.tif 000161
、dstart、
【数１６０】
2018088718.tif 000162
、および
【数１６１】
2018088718.tif 000163
が本発明の保護範囲内に含まれるものであることに留意すべきである。
【００５７】
本実施形態では、UEのドップラー周波数シフトが第1の所定値（第1の所定値はPRACHサブキャリア間隔の1倍より大きい）以上であるときに、基地局が、UEに第2の限定セットを用いてランダム・アクセス・ZCシーケンスを生成するよう命令するために、UEにセット命令情報を送信し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【００５８】
以下では、本実施形態において
【数１６２】
2018088718.tif 000164
、dstart、
【数１６３】
2018088718.tif 000165
、および
【数１６４】
2018088718.tif 000166
が式（2）から式（5）を満たし、または式（6）から式（9）を満たし、または式（10）から式（13）を満たす場合に、ドップラー周波数シフトがPRACHサブキャリア間隔の1倍より大きく、PRACHサブキャリア間隔の2倍より小さいときに生じる複数のUEランダム・アクセス・シーケンス間の相互干渉を回避することができる理由を説明する。
【００５９】
UEによって送信される信号はr（t）ej2πftであり、r（t）はベースバンド信号であり、ej2πftは搬送波周波数であるものと仮定する。この場合、mΔfのドップラー周波数シフトの後で獲得される信号はr（t）ej2π（f＋mΔf）tであり、mは正の整数であり、ΔfはPRACHサブキャリア間隔の1倍である。
【００６０】
逆高速フーリエ変換（IFFT、Inverse Fast Fourier Transform）の特性に従い、周波数領域間隔の逆数は時間領域期間と等しく、これは
【数１６５】
2018088718.tif 000167
と等価であり、式中、Δfはサブキャリア間隔であり、Δtは時間領域サンプリング間隔であり、Nは、離散フーリエ変換（DFT、Discrete Fourier Transformation）または逆離散フーリエ変換（IDFT、Inverse Discrete Fourier Transform）の値である。
【００６１】
t＝nΔtであると仮定すると、r（t）ej2π（f＋mΔf）t＝（r（t）ej2π（mn）／N）ej2πftであり、式中、（r（t）ej2π（mn）／N）は等価のベースバンド信号である。
【００６２】
特性1：
【００６３】
UEが基地局へランダム・アクセス・ZCシーケンスを送信するときに、UEと基地局の受信端との間に±mΔfのドップラー周波数シフトが生じる場合、基地局の受信端によって受信されるランダム・アクセス・ZCシーケンスはUEによって送信されるランダム・アクセス・ZCシーケンスのシフトシーケンスであり、2つのシーケンス間には一定の位相オフセットが生じる。
【００６４】
論証：−mΔfのドップラー周波数シフトを例として用い、時間領域t＝nΔtにおけるベースバンドサンプリング信号をr（n）で表し、等価のベースバンド信号（r（t）e−j2π（mn）／N）についてN＝NZCであるものと仮定する。この場合、
【数１６６】
2018088718.tif 000168
であり、式中、r（n）はZCシーケンスの等価のベースバンド信号のベースバンドサンプリング信号を表し、
【数１６７】
2018088718.tif 000169
である。
【数１６８】
2018088718.tif 000170
（15）
式中、xu（n）はそのルートがuであるZCシーケンスを表し、すなわち、
【数１６９】
2018088718.tif 000171
であり、xu（n＋m（1／u））はそのルートがuであるZCシーケンスのシフトシーケンス、すなわち、そのルートがuであるZCシーケンスに対してm（1／u）ビットの右循環シフトが行われた後で獲得されるシーケンスである。
【００６５】
式（15）において、u−1は、（（1／u）×u）mod NZC＝1を満たす最小の非負の整数として定義される。
【００６６】
式（15）からわかるように、u−1は、ドップラー周波数シフトがPRACHサブキャリア間隔の1倍であるときにZCシーケンスが対応する循環シフトであり、すなわち、ドップラー周波数シフトがPRACHサブキャリア間隔の1倍であるときに基地局によって受信されるZCシーケンスとUEによって送信されるZCシーケンスとの間に存在する循環シフト長である。
【００６７】
例えば、UEによって送信されるZCシーケンスがxu（n）であり、ドップラー周波数シフトがPRACHサブキャリア間隔の1倍である場合、基地局によって受信されるZCシーケンスはxu（（n＋u−1）mod NZC）またはxu（（n−u−1）mod NZC）である。
【００６８】
式（15）からわかるように、UEと基地局の受信端との間に−mΔfのドップラー周波数シフトが生じる場合、時間領域で基地局によって受信されるランダム・アクセス・ZCシーケンスはUEによって送信されるランダム・アクセス・ZCシーケンスのシフトシーケンスであり、2つのシーケンスの間には（nとは無関係な）一定の位相オフセット
【数１７０】
2018088718.tif 000172
が生じる。同様に、＋mΔfのドップラー周波数シフトが生じる場合にも、時間領域で基地局によって受信されるランダム・アクセス・ZCシーケンスはやはり、UEによって送信されるランダム・アクセス・ZCシーケンスのシフトシーケンスである。ここでは詳細を繰り返さない。
【００６９】
特性2：ドップラー周波数シフトが相対的に大きく、ドップラー周波数シフトfoffがPRACHサブキャリア間隔Δfの1倍より小さいときには、シーケンスに対して相関検出が行われた後で、u−1、0、および−u−1のシーケンスシフトによって獲得される3つの位置で相関ピークが出現しうる。
【００７０】
すなわち、そのルートがuであるZCシーケンスxu（n）について、ドップラー周波数シフトfoffがPRACHサブキャリア間隔Δfの1倍より小さく、UEによって送信されたランダム・アクセス・ZCシーケンスがxu（n）であるときには、基地局の受信端が、UEによって送信されたランダム・アクセス・ZCシーケンスに対して相関検出を行うために、ZCシーケンスxu（n）、xu（（n＋u−1）mod NZC））、またはxu（（n−u−1）mod NZC）を用いる場合にピークが出現しうる。
【００７１】
特性2は実験によって決定されることに留意すべきである。
【００７２】
特性1および特性2から以下のことがわかる。
【００７３】
（1）ドップラー周波数シフトfoff＝Δf＋x、0＜x＜Δfであり、基地局が受信を行うときには、u−1、−2u−1、および0のシフトによって獲得される3つの位置でピークが生成されうる。
【００７４】
すなわち、そのルートがuであるZCシーケンスxu（n）について、ドップラー周波数シフトfoff＝Δf＋x（式中、0＜x＜Δf）であり、UEによって送信されたランダム・アクセス・ZCシーケンスがxu（n）であるときには、基地局の受信端が、UEによって送信されたランダム・アクセス・ZCシーケンスに対して相関検出を行うために、ZCシーケンスxu（n）、xu（（n−u−1）mod NZC））、またはxu（（n−2u−1）mod NZC）を用いる場合にピークが出現しうる。
【００７５】
（2）ドップラー周波数シフトfoff＝Δf−x、x＜Δfであり、基地局が受信を行うときには、u−1、2u−1、および0のシフトによって獲得される3つの位置でピークが生成されうる。
【００７６】
すなわち、そのルートがuであるZCシーケンスxu（n）について、ドップラー周波数シフトfoff＝Δf−x（式中、0＜x＜Δf）であり、UEによって送信されたランダム・アクセス・ZCシーケンスがxu（n）であるときには、基地局の受信端が、UEによって送信されたランダム・アクセス・ZCシーケンスに対して相関検出を行うために、ZCシーケンスxu（n）、xu（（n＋u−1）mod NZC））、またはxu（（n＋2u−1）mod NZC）を用いる場合にピークが出現しうる。
【００７７】
したがって、ドップラー周波数シフトがPRACHサブキャリア間隔Δfの1倍より大きく、PRACHサブキャリア間隔の2倍より小さく、基地局が受信を行うときには、−u−1、−2u−1、0、u−1、および2u−1のシフトによって獲得される5つの位置でピークが生成されうる。
【００７８】
すなわち、そのルートがuであるZCシーケンスxu（n）について、ドップラー周波数シフトがPRACHサブキャリア間隔Δfの1倍より大きく、PRACHサブキャリア間隔の2倍より小さく、UEによって送信されたランダム・アクセス・ZCシーケンスがxu（n）であるときには、基地局の受信端が、UEによって送信されたランダム・アクセス・ZCシーケンスに対して相関検出を行うために、ZCシーケンスxu（（n−2u−1）mod NZC）、xu（（n−u−1）mod NZC）、xu（n）、xu（（n＋u−1）mod NZC））、またはxu（（n＋2u−1）mod NZC）を用いる場合にピークが出現しうる。
【００７９】
本実施形態では、
【数１７１】
2018088718.tif 000173
、dstart、
【数１７２】
2018088718.tif 000174
、および
【数１７３】
2018088718.tif 000175
が式（2）から式（5）を満たし、式（6）から式（9）を満たし、または式（10）から式（13）を満たすことは、ドップラー周波数シフトがPRACHサブキャリア間隔の1倍より大きく、PRACHサブキャリア間隔の2倍より小さいときに基地局の受信端によって生成される5つのピークポイントに対応するZCシーケンスが別のユーザに割り振られるのを妨げ、それによって、ドップラー周波数シフトによって生じるユーザ間の干渉を回避することを意図したものである。
【００８０】
本発明では、du＝u−1であり、すなわち、duは、ドップラー周波数シフトがPRACHサブキャリア間隔の1倍であるときにZCシーケンスが対応する循環シフトである。
【００８１】
図3は、本発明の一実施形態によるシナリオ1の概略的構造図である。図では、N＝NZCであり、NCS≦du＜NZC／5である。図3に示すように、斜線および逆斜線で表されたシーケンスシフトは第1のグループとして用いられ、横線および縦線で表されたシーケンスシフトは第2のグループとして用いられる。
【数１７４】
2018088718.tif 000176
であり、式中、
【数１７５】
2018088718.tif 000177
は1グループ内のUEの候補シーケンスシフトの数を表し、NCSは1ユーザによって占有される循環シフトの数を表す。例えば、シーケンス長はNZCであり、1ユーザはNCSシフトを占有し、ドップラー周波数シフトが考慮されないときには、最大
【数１７６】
2018088718.tif 000178
ユーザが同時にランダムアクセス信号を送信することを許される。図3に示すように、第1のグループ内のUEの候補シーケンスシフトの数は2であり、斜線はUEの一方の候補シーケンスシフトに対応し、逆斜線はUEの他方の候補シーケンスシフトに対応し、第2のグループ内のUEの候補シーケンスシフトの数は2であり、横線はUEの一方の候補シーケンスシフトに対応し、縦線はUEの他方の候補シーケンスシフトに対応する。
【００８２】
【数１７７】
2018088718.tif 000179
は1グループによって区別されうるユーザの数を表すことができる。システム全体から見ると、
【数１７８】
2018088718.tif 000180
ユーザを1グループによって区別することができ、UE側から見ると、1グループ内の最大
【数１７９】
2018088718.tif 000181
シーケンスシフトを1台のUEが選択に利用することができる。
【００８３】
そのシーケンス長がNZCであるZCシーケンスについて、ドップラー周波数シフトが考慮されず、NCS＝0であるときに、ZCシーケンスはNZC候補シーケンスシフトを含むことができ、これらの候補シーケンスシフトはそれぞれ、0かられNZC−1の循環シフト値に対応していることに留意すべきである。例えば、そのルートがuであるZCシーケンスがxu（n）として表される場合、循環シフト値が0であるときには、そのルートがuであるZCシーケンスを用いて生成されるZCシーケンスはxu（n）であり、循環シフト値が1であるときには、そのルートがuであるZCシーケンスを用いて生成されるZCシーケンスはxu（n＋1）である。ドップラー周波数シフトが考慮されず、NCSが0より大きいときには、
【数１８０】
2018088718.tif 000182
候補シーケンスシフトが存在する可能性があり、これらの候補シーケンスシフトはそれぞれ、Y＊NCS循環シフト値に対応しており、Yは0以上
【数１８１】
2018088718.tif 000183
未満の整数である。
【００８４】
ドップラー周波数シフトがPRACHサブキャリア間隔の1倍より大きく、PRACHサブキャリア間隔の2倍より小さいときには、第1のユーザ機器が第1の循環シフト値を用いてランダム・アクセス・ZCシーケンスを生成し、そのランダム・アクセス・ZCシーケンスを基地局へ送信する。したがって、基地局が、第1のユーザ機器によって送信されたランダム・アクセス・ZCシーケンスを検出するために、5つの循環シフト値に対応するZCシーケンスを用いるときにピークが出現する可能性があり、これらの循環シフト値と第1の循環シフト値との差は、それぞれ、0、du、−du、2du、および−2duである。第1のユーザ機器と別のユーザ機器との間の干渉を回避するために、5つの循環シフト値に対応するすべての候補シーケンスシフトを別のユーザ機器に割り振ることができなくなり、これは、基地局側にとっては、5つの循環シフト値に対応するすべての候補シーケンスシフトが第1のユーザ機器に割り振られることと同じでもある。すなわち、図3に示すように、その塗りつぶしパターンが斜線である5つの候補シーケンスシフトが1つの新しい候補シーケンスシフトとしてUE1に割り振られ（5つの候補シーケンスシフトを新しい候補シーケンスシフトの部分候補シーケンスシフトと呼ぶこともできる）、その塗りつぶしパターンが逆斜線である5つの候補シーケンスシフトが1つの新しい候補シーケンスシフトとしてUE2に割り振られ、その塗りつぶしパターンが横線である5つの候補シーケンスシフトが1つの新しい候補シーケンスシフトとしてUE3に割り振られ、その塗りつぶしパターンが縦線である5つの候補シーケンスシフトが1つの新しい候補シーケンスシフトとしてUE4に割り振られる。
【００８５】
加えて、5つの循環シフト値と第1の循環シフト値との差は、それぞれ、0、du、−du、2du、および−2duであるため、UE1について、ランダム・アクセス・ZCシーケンスを生成するのに用いられる循環シフト値は、図3でUE1に対応する矢印によって指示されている位置に対応する循環シフト値であり、UE2について、ランダム・アクセス・ZCシーケンスを生成するのに用いられる循環シフト値は、図3でUE2に対応する矢印によって指示されている位置に対応する循環シフト値であり、UE3について、ランダム・アクセス・ZCシーケンスを生成するのに用いられる循環シフト値は、図3でUE3に対応する矢印によって指示されている位置に対応する循環シフト値であり、UE4について、ランダム・アクセス・ZCシーケンスを生成するのに用いられる循環シフト値は、図3でUE4に対応する矢印によって指示されている位置に対応する循環シフト値である、こともわかる。
【００８６】
【数１８２】
2018088718.tif 000184
は近隣グループ間の循環シフト距離を表し、式中、
【数１８３】
2018088718.tif 000185
は図3のその塗りつぶしパターンが格子パターンである部分に対応する。
【００８７】
【数１８４】
2018088718.tif 000186
は、そのシーケンス長がNZCであるシーケンス内のグループの数を表す。図3に示すように、グループの数は2である。
【００８８】
【数１８５】
2018088718.tif 000187
は、1グループには不十分な最後の長さの内のUEの候補シーケンスシフトの数を表す。図3に示すように、1グループには不十分な最後の長さの内のUEの候補シーケンスシフトの数は1であり、すなわち、その塗りつぶしパターンがドットパターンである5つの候補シーケンスシフトが1つの新しい候補シーケンスシフトとしてUE5に割り振られる。
【００８９】
図3はNCS≦du＜NZC／5であるシナリオの一例を提供するにすぎないことに留意すべきである。本シナリオを満たす他のNCS、du、およびNZCについて、
【数１８６】
2018088718.tif 000188
、dstart、
【数１８７】
2018088718.tif 000189
、および
【数１８８】
2018088718.tif 000190
が式（2）から式（5）を満たす原理は、図3で提供される例の原理と同じである。
【００９０】
例1（図3参照）
【００９１】
例えば、NZC＝70、NCS＝2、およびdu＝5である。
【００９２】
（1）
【数１８９】
2018088718.tif 000191
によれば、
【数１９０】
2018088718.tif 000192
であること、すなわち、1グループ内のUEの候補シーケンスシフトの数は2であること、すなわち、2ユーザが1グループによって区別されうることがわかる。
【００９３】
（2）
【数１９１】
2018088718.tif 000193
によれば、dstart＝24であること、すなわち、近隣のグループ間の循環シフト距離は24であることがわかる。
【００９４】
（3）
【数１９２】
2018088718.tif 000194
によれば、
【数１９３】
2018088718.tif 000195
であること、すなわち、グループの数は2であることがわかる。
【００９５】
（4）
【数１９４】
2018088718.tif 000196
によれば、
【数１９５】
2018088718.tif 000197
であること、すなわち、1グループには不十分な最後の長さの内のUEの候補シーケンスシフトの数は1であること、すなわち、1グループには不十分な最後の長さの内で1ユーザがさらに区別されうることがわかる。
【００９６】
（5）シフト通し番号vは0から
【数１９６】
2018088718.tif 000198
までの範囲から選択され、vの値範囲は0から4までである。
【００９７】
（6）
【数１９７】
2018088718.tif 000199
によれば、基地局側とUE側とでdoffset＝2duであることが合意されるときには、シフト通し番号に従って獲得される循環シフト値は10、12、34、36、および58（すなわち、図3の5台のUEに対応する矢印で指示される位置）とすることができる。基地局側とUE側とでdoffsetが別の値であることが合意されるときには、対応する循環シフト値も変化しうることに留意すべきである。
【００９８】
（7）循環シフトが循環シフト値10に従ってそのルートがuであるZCシーケンスxu（n）に対して行われる場合、ZCシーケンスxu（（n＋10）mod 70）が獲得され、循環シフトが循環シフト値12に従ってそのルートがuであるZCシーケンスxu（n）に対して行われる場合、ZCシーケンスxu（（n＋12）mod 70）が獲得され、循環シフトが循環シフト値34に従ってそのルートがuであるZCシーケンスxu（n）に対して行われる場合、ZCシーケンスxu（（n＋34）mod 70）が獲得され、循環シフトが循環シフト値36に従ってそのルートがuであるZCシーケンスxu（n）に対して行われる場合、ZCシーケンスxu（（n＋36）mod 70）が獲得され、循環シフトが循環シフト値58に従ってそのルートがuであるZCシーケンスxu（n）に対して行われる場合、ZCシーケンスxu（（n＋58）mod 70）が獲得される。UE側については、循環シフトによって獲得されるシーケンスはランダム・アクセス・ZCシーケンスであることに留意すべきである。
【００９９】
図4は、本発明の一実施形態によるシナリオ2の概略的構造図である。図では、N＝NZCであり、NZC／5≦du≦（NZC−NCS）／4である。図4に示すように、斜線および逆斜線で表されたシーケンスシフトは第1のグループとして用いられ、横線および縦線で表されたシーケンスシフトは第2のグループとして用いられる。
【数１９８】
2018088718.tif 000200
であり、式中、
【数１９９】
2018088718.tif 000201
は1グループ内のUEの候補シーケンスシフトの数を表し、NCSは1ユーザによって占有される循環シフトの数を表す。例えば、シーケンス長はNZCであり、1ユーザはNCSシフトを占有し、ドップラー周波数シフトが考慮されないときには、最大
【数２００】
2018088718.tif 000202
ユーザが同時にランダムアクセス信号を送信することを許される。図4に示すように、第1のグループ内のUEの候補シーケンスシフトの数は2であり、斜線はUEの一方の候補シーケンスシフトに対応し、逆斜線はUEの他方の候補シーケンスシフトに対応し、第2のグループ内のUEの候補シーケンスシフトの数は2であり、横線はUEの一方の候補シーケンスシフトに対応し、縦線はUEの他方の候補シーケンスシフトに対応する。
【０１００】
【数２０１】
2018088718.tif 000203
は1グループによって区別されうるユーザの数を表すことができる。システム全体から見ると、
【数２０２】
2018088718.tif 000204
ユーザを1グループによって区別することができ、UE側から見ると、1グループ内の最大
【数２０３】
2018088718.tif 000205
シーケンスシフトを1台のUEが選択に利用することができる。
【０１０１】
図4の
【数２０４】
2018088718.tif 000206
、dstart、
【数２０５】
2018088718.tif 000207
、および
【数２０６】
2018088718.tif 000208
は、図4の
【数２０７】
2018088718.tif 000209
、dstart、
【数２０８】
2018088718.tif 000210
、および
【数２０９】
2018088718.tif 000211
が異なる式を満たす必要があることを除いて、図3のそれらと同じ物理的意味を有することに留意すべきである。解析プロセスは図3の解析プロセスと同様であり、ここでは詳細を繰り返さない。
【０１０２】
【数２１０】
2018088718.tif 000212
は近隣グループ間の循環シフト距離を表す。
【０１０３】
【数２１１】
2018088718.tif 000213
は、そのシーケンス長がNZCであるシーケンス内のグループの数を表す。図4に示すように、グループの数は2である。
【０１０４】
【数２１２】
2018088718.tif 000214
は、1グループには不十分な最後の長さの内のUEの候補シーケンスシフトの数を表す。図4に示すように、1グループには不十分な最後の長さの内のUEの候補シーケンスシフトの数は1であり、すなわち、その塗りつぶしパターンがドットパターンである5つの候補シーケンスシフトが1つの新しい候補シーケンスシフトとしてUE5に割り振られる。
【０１０５】
図4の格子塗りつぶしパターンを有する部分は、各グループをどのように割り振るかの説明を容易にするために、その塗りつぶしパターンが斜線および逆斜線である対応するグループによって占有される部分を同期的に表すものであることに留意すべきである。
【０１０６】
図4は、NZC／5≦du≦（NZC−NCS）／4であるシナリオの一例を提供するにすぎないことに留意すべきである。本シナリオを満たす他のNCS、du、およびNZCについて、
【数２１３】
2018088718.tif 000215
、dstart、
【数２１４】
2018088718.tif 000216
、および
【数２１５】
2018088718.tif 000217
が式（6）から式（9）を満たす必要がある原理は、図4で提供される例の原理と同じである。
【０１０７】
例2（図4参照）
【０１０８】
例えば、NZC＝85、NCS＝2、およびdu＝20である。
【０１０９】
（1）
【数２１６】
2018088718.tif 000218
によれば、
【数２１７】
2018088718.tif 000219
であること、すなわち、1グループ内のUEの候補シーケンスシフトの数は2であること、すなわち、2ユーザが1グループによって区別されうることがわかる。
【０１１０】
（2）
【数２１８】
2018088718.tif 000220
によれば、dstart＝9であること、すなわち、近隣のグループ間の循環シフト距離は9であることがわかる。
【０１１１】
（3）
【数２１９】
2018088718.tif 000221
によれば、
【数２２０】
2018088718.tif 000222
であること、すなわち、グループの数は2であることがわかる。
【０１１２】
（4）
【数２２１】
2018088718.tif 000223
によれば、
【数２２２】
2018088718.tif 000224
であること、すなわち、1グループには不十分な最後の長さの内のUEの候補シーケンスシフトの数は1であること、すなわち、1グループには不十分な最後の長さの内で1ユーザをさらに区別することができることがわかる。
【０１１３】
（5）シフト通し番号vは0から
【数２２３】
2018088718.tif 000225
までの範囲から選択され、vの値範囲は0から4までである。
【０１１４】
（6）
【数２２４】
2018088718.tif 000226
によれば、基地局側とUE側とでdoffset＝5であることが合意されるときには、シフト通し番号に従って獲得される循環シフト値は5、7、14、16、および23（すなわち、図4の5台のUEに対応する矢印で指示される位置）とすることができる。基地局側とUE側とでdoffsetが別の値であることが合意されるときには、対応する循環シフト値も変化しうることに留意すべきである。
【０１１５】
（7）循環シフトが循環シフト値5に従ってそのルートがuであるZCシーケンスxu（n）に対して行われる場合、ZCシーケンスxu（（n＋5）mod 85）が獲得され、循環シフトが循環シフト値7に従ってそのルートがuであるZCシーケンスxu（n）に対して行われる場合、ZCシーケンスxu（（n＋7）mod 85）が獲得され、循環シフトが循環シフト値14に従ってそのルートがuであるZCシーケンスxu（n）に対して行われる場合、ZCシーケンスxu（（n＋14）mod 85）が獲得され、循環シフトが循環シフト値16に従ってそのルートがuであるZCシーケンスxu（n）に対して行われる場合、ZCシーケンスxu（（n＋16）mod 85）が獲得され、循環シフトが循環シフト値23に従ってそのルートがuであるZCシーケンスxu（n）に対して行われる場合、ZCシーケンスxu（（n＋23）mod 85）が獲得される。UE側については、循環シフト値に従って獲得されるZCシーケンスはランダム・アクセス・ZCシーケンスであることに留意すべきである。
【０１１６】
図5Aは、本発明の一実施形態によるシナリオ3の第1の概略的構造図である。図では、N＝NZCであり、（NZC＋NCS）／4≦du≦（NZC−NCS）／3である。図5Aに示すように、斜線で表されたシーケンスシフトは第1のグループとして用いられ、逆斜線で表されたシーケンスシフトは第2のグループとして用いられる。
【数２２５】
2018088718.tif 000227
であり、式中、
【数２２６】
2018088718.tif 000228
は1グループ内のUEの候補シーケンスシフトの数を表し、NZCは1ユーザによって占有される循環シフトの数を表す。例えば、シーケンス長はNZCであり、1ユーザはNCSシフトを占有し、ドップラー周波数シフトが考慮されないときには、最大
【数２２７】
2018088718.tif 000229
ユーザが同時にランダムアクセス信号を送信することを許される。図5Aに示すように、第1のグループ内のUEの候補シーケンスシフトの数は1であり、斜線はUEの1つの候補シーケンスシフトに対応し、第2のグループ内のUEの候補シーケンスシフトの数は1であり、逆斜線はUEの1つの候補シーケンスシフトに対応する。
【０１１７】
【数２２８】
2018088718.tif 000230
は1グループによって区別されうるユーザの数を表すことができる。システム全体から見ると、
【数２２９】
2018088718.tif 000231
ユーザを1グループによって区別することができ、UE側から見ると、1グループ内の最大
【数２３０】
2018088718.tif 000232
シーケンスシフトを1台のUEが選択に利用することができる。
【０１１８】
図5Aの
【数２３１】
2018088718.tif 000233
、dstart、
【数２３２】
2018088718.tif 000234
、および
【数２３３】
2018088718.tif 000235
は、図5Aの
【数２３４】
2018088718.tif 000236
、dstart、
【数２３５】
2018088718.tif 000237
、および
【数２３６】
2018088718.tif 000238
が異なる式を満たす必要があることを除いて、図3のそれらと同じ物理的意味を有することに留意すべきである。解析プロセスは図3の解析プロセスと同様であり、ここでは詳細を繰り返さない。
【０１１９】
【数２３７】
2018088718.tif 000239
は近隣グループ間の循環シフト距離を表す。
【０１２０】
【数２３８】
2018088718.tif 000240
は、そのシーケンス長がNZCであるシーケンス内のグループの数を表す。図5Aに示すように、グループの数は2である。
【０１２１】
【数２３９】
2018088718.tif 000241
は、1グループには不十分な最後の長さの内で別のユーザ機器に候補シーケンスシフトを割り振ることができないことを指示する。
【０１２２】
図5Aの格子塗りつぶしパターンを有する部分は、各グループをどのように割り振るかの説明を容易にするために、その塗りつぶしパターンが斜線である対応するグループによって占有される部分を同期的に表すものであることに留意すべきである。
【０１２３】
図5Aは、（NZC＋NCS）／4≦du≦（NZC−NCS）／3であるシナリオの一例を提供するにすぎないことに留意すべきである。本シナリオを満たす他のNCS、du、およびNZCについて、
【数２４０】
2018088718.tif 000242
、dstart、
【数２４１】
2018088718.tif 000243
、および
【数２４２】
2018088718.tif 000244
が式（10）から式（13）を満たす必要がある原理は、図5Aで提供される例の原理と同じである。
【０１２４】
例3（図5A参照）
【０１２５】
例えば、NZC＝33、NCS＝2、およびdu＝10である。
【０１２６】
（1）
【数２４３】
2018088718.tif 000245
によれば、
【数２４４】
2018088718.tif 000246
であること、すなわち、1グループ内のUEの候補シーケンスシフトの数は1であること、すなわち、1ユーザが1グループによって区別されうることがわかる。
【０１２７】
（2）
【数２４５】
2018088718.tif 000247
によれば、dstart＝5であること、すなわち、近隣のグループ間の循環シフト距離は5であることがわかる。
【０１２８】
（3）
【数２４６】
2018088718.tif 000248
によれば、
【数２４７】
2018088718.tif 000249
であること、すなわち、グループの数は2であることがわかる。
【０１２９】
（4）
【数２４８】
2018088718.tif 000250
。
【０１３０】
（5）シフト通し番号vは0から
【数２４９】
2018088718.tif 000251
までの範囲から選択され、vの値範囲は0から1までである。
【０１３１】
（6）
【数２５０】
2018088718.tif 000252
によれば、基地局側とUE側とでdoffset＝3であることが合意されるときには、シフト通し番号に従って獲得される循環シフト値は3および8（すなわち、図5Aの2台のUEに対応する矢印で指示される位置）とすることができる。基地局側とUE側とでdoffsetが別の値であることが合意されるときには、対応する循環シフト値も変化しうることに留意すべきである。
【０１３２】
（7）循環シフトが循環シフト値3に従ってそのルートがuであるZCシーケンスxu（n）に対して行われる場合、ZCシーケンスxu（（n＋3）mod 33）が獲得され、循環シフトが循環シフト値8に従ってそのルートがuであるZCシーケンスxu（n）に対して行われる場合、ZCシーケンスxu（（n＋8）mod 33）が獲得される。UE側については、循環シフト値に従って獲得されるZCシーケンスはランダム・アクセス・ZCシーケンスであることに留意すべきである。
【０１３３】
図5Bは、本発明の一実施形態によるシナリオ3の第2の概略的構造図である。図5Bに示すように、3du＜NZC＜4duであるときには、条件du≧NZC−3du＋NCSが満たされるときに限って候補シフトシーケンスを少なくとも1台のUEに割り振ることができる。すなわち、
【数２５１】
2018088718.tif 000253
は、UEに候補シフトシーケンスを割り振るために満たされなければならない条件である。
【０１３４】
（NZC−NCS）／4≦du≦（NZC＋NCS）／4であるときには、1台のユーザに割り振られた候補シーケンスシフト内の2つの部分候補シーケンスシフトが部分的に（または完全に）オーバーラップする事例が発生する可能性があり、同じUEの部分候補シーケンスシフトのオーバーラップは、基地局がアップリンクチャネルで周波数オフセット推定および同期を行う際の性能を低下させる可能性があることに留意すべきである。したがって、（NZC−NCS）／4≦du≦（NZC＋NCS）／4であるときには、どんなUEにも候補シーケンスシフトを割り振ることができない。
【０１３５】
本発明では、基地局が1つのピークを検出するためにNCSシフトが必要であり、1つの部分候補シーケンスシフトはNCS個のシフト位置を含み、UEに割り振られる1つの候補シーケンスシフトは5NCS個のシフト位置を含むことに留意すべきである。
【０１３６】
図6は、本発明によるランダム・アクセス・チャネル・ZCシーケンスを生成するための方法の実施形態4の流れ図である。図6に示すように、本実施形態の方法は以下のステップを含むことができる。
【０１３７】
ステップ601：基地局は第1の通知シグナリングおよび第2の通知シグナリングを生成し、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングはシフト通し番号を含み、シフト通し番号は、UEに、シフト通し番号およびセット命令情報によって指示される第2の限定セットを用いてランダム・アクセス・ZCシーケンスを生成するよう命令するのに用いられる。
【０１３８】
ランダム・アクセス・セットは非限定セット、第1の限定セット、および第2の限定セットを含む。
【０１３９】
第2の限定セットは、UEのドップラー周波数シフトが第1の所定値以上であるときにUEが用いる必要のあるランダム・アクセス・セットである。
【０１４０】
任意選択で、基地局が第2の通知シグナリングを生成する前に、本方法は、基地局がシフト通し番号に従って第2の通知シグナリングを生成するように、基地局が、第2の限定セットに従ってシフト通し番号を決定するステップ、をさらに含むことができる。
【０１４１】
具体的には、基地局が第2の限定セットに従ってシフト通し番号を決定するステップは、基地局が、0から
【数２５２】
2018088718.tif 000254
までの範囲からシフト通し番号vを選択するステップであって、vは正の整数であり、
【数２５３】
2018088718.tif 000255
は1グループ内のユーザ機器UEの候補シーケンスシフトの数であり、
【数２５４】
2018088718.tif 000256
はグループの数であり、
【数２５５】
2018088718.tif 000257
は1グループには不十分な最後の長さの内のUEの候補シーケンスシフトの数である、ステップ、を含む。
【０１４２】
非限定セットと第1の限定セットと第2の限定セットとの関係はステップ101での関係と同じであることに留意すべきであり、ここでは詳細を繰り返さない。
【０１４３】
本ステップでは、基地局はシグナリングを用いてUEへセット命令情報およびシフト通し番号を送信することができることに留意すべきである。
【０１４４】
ステップ602：基地局は、UEが第2の限定セットおよびモバイル通し番号を用いてランダム・アクセス・ZCシーケンスを生成するように、UEへ第1の通知シグナリングおよび第2の通知シグナリングを送信する。
【０１４５】
ステップ603：基地局は第2の限定セットおよびシフト通し番号に従って循環シフト値を獲得する。
【０１４６】
シフト通し番号に従って基地局が循環シフト値を獲得するための方法はステップ206の方法と同じであり、ここでは詳細を繰り返さない。
【０１４７】
ステップ601では、基地局は、UEがシフト通し番号および第2の限定セットを用いてランダム・アクセス・ZCシーケンスを生成するように、UEへシフト通し番号を送信することに留意すべきである。したがって、ステップ203と比べて、本実施形態では、UEによって送信されたランダム・アクセス・ZCシーケンスを受信するときに、基地局は、検出のためにすべてのシフト通し番号をトラバースする必要がなくなり、検出のために、第2の通知シグナリングでUEへ送信された、シフト通し番号を直接用いる。
【０１４８】
ステップ604：基地局は循環シフト値に従ってZCシーケンスを生成し、ZCシーケンスを用いて、UEによって送信されたランダム・アクセス・ZCシーケンスを検出し、ランダム・アクセス・ZCシーケンスは第2の限定セットを用いてUEによって生成される。
【０１４９】
ステップ604はステップ205と同じであり、ここでは詳細を繰り返さない。
【０１５０】
本実施形態の
【数２５６】
2018088718.tif 000258
、dstart、
【数２５７】
2018088718.tif 000259
、および
【数２５８】
2018088718.tif 000260
に関する具体的な説明は、ランダム・アクセス・チャネル・ZCシーケンスを生成するための方法の実施形態3の具体的な説明と同じであり、ここでは詳細を繰り返さない。
【０１５１】
本実施形態では、UEのドップラー周波数シフトが第1の所定値（第1の所定値はPRACHサブキャリア間隔の1倍より大きい）以上であるときに、基地局が、UEに第2の限定セットおよびシフト通し番号を用いてランダム・アクセス・ZCシーケンスを生成するよう命令するために、UEへセット命令情報およびシフト通し番号を送信し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０１５２】
図7は、本発明によるランダム・アクセス・チャネル・ZCシーケンスを生成するための方法の実施形態5の流れ図である。図7に示すように、本実施形態の方法は以下のステップを含むことができる。
【０１５３】
ステップ701：基地局は第1の通知シグナリングおよび第2の通知シグナリングを生成し、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングは循環シフト値を含み、循環シフト値は、UEに、循環シフト値およびセット命令情報によって指示される第2の限定セットを用いてランダム・アクセス・ZCシーケンスを生成するよう命令するのに用いられる。
【０１５４】
ランダム・アクセス・セットは非限定セット、第1の限定セット、および第2の限定セットを含む。
【０１５５】
第2の限定セットは、UEのドップラー周波数シフトが第1の所定値以上であるときにUEが用いる必要のあるランダム・アクセス・セットである。
【０１５６】
任意選択で、基地局が第2の通知シグナリングを生成する前に、本方法は、基地局が、0から
【数２５９】
2018088718.tif 000261
までの範囲からシフト通し番号vをまず選択するステップであって、vは正の整数であり、
【数２６０】
2018088718.tif 000262
は1グループ内のユーザ機器UEの候補シーケンスシフトの数であり、
【数２６１】
2018088718.tif 000263
はグループの数であり、
【数２６２】
2018088718.tif 000264
は1グループには不十分な最後の長さの内のUEの候補シーケンスシフトの数である、ステップと、次いで、基地局が循環シフト値に従って第2の通知シグナリングを生成するように、基地局が、式（1）を用いてシフト通し番号に従ってUEの循環シフト値Cvを獲得するステップと、をさらに含むことができる。
【０１５７】
非限定セットと第1の限定セットと第2の限定セットとの関係はステップ101での関係と同じであることに留意すべきであり、ここでは詳細を繰り返さない。
【０１５８】
本ステップでは、基地局はシグナリングを用いてUEへセット命令情報および循環シフト値を送信することができることに留意すべきである。
【０１５９】
ステップ702：基地局は、UEが第2の限定セットおよび循環シフト値を用いてランダム・アクセス・ZCシーケンスを生成するように、UEへ第1の通知シグナリングおよび第2の通知シグナリングを送信する。
【０１６０】
ステップ703：基地局は循環シフト値に従ってZCシーケンスを生成し、ZCシーケンスを用いて、UEによって送信されたランダム・アクセス・ZCシーケンスを検出し、ランダム・アクセス・ZCシーケンスは第2の限定セットを用いてUEによって生成される。
【０１６１】
ステップ703はステップ205と同じであり、ここでは詳細を繰り返さない。
【０１６２】
本実施形態の
【数２６３】
2018088718.tif 000265
、dstart、
【数２６４】
2018088718.tif 000266
、および
【数２６５】
2018088718.tif 000267
に関する具体的な説明は、ランダム・アクセス・チャネル・ZCシーケンスを生成するための方法の実施形態3の具体的な説明と同じであり、ここでは詳細を繰り返さない。
【０１６３】
本実施形態では、UEのドップラー周波数シフトが第1の所定値（第1の所定値はPRACHサブキャリア間隔の1倍より大きい）以上であるときに、基地局が、UEに第2の限定セットおよび循環シフト値を用いてランダム・アクセス・ZCシーケンスを生成するよう命令するために、UEへセット命令情報および循環シフト値を送信し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０１６４】
図8は、本発明によるランダム・アクセス・チャネル・ZCシーケンスを生成するための方法の実施形態6の流れ図である。図8に示すように、本実施形態の方法は以下のステップを含むことができる。
【０１６５】
ステップ801：ユーザ機器UEが基地局から通知シグナリングを受信し、通知シグナリングは、UEに、ランダム・アクセス・セット内の第2の限定セットを用いてランダム・アクセス・ZCシーケンスを生成するよう命令するのに用いられる。
【０１６６】
ランダム・アクセス・セットは非限定セット、第1の限定セット、および第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【０１６７】
第1の限定セットは、UEのドップラー周波数シフトが第2の所定値以上であるときにUEが用いる必要のあるランダム・アクセス・セットであり、非限定セットは、UEのドップラー周波数シフトが第3の所定値以下であるときにUEが用いる必要のあるランダム・アクセス・セットであり、第2の所定値は第1の所定値より小さく、第3の所定値は第2の所定値より小さい、ことに留意すべきである。
【０１６８】
ステップ802：UEは、第2の限定セットに従ってランダム・アクセス・ZCシーケンスを生成する。
【０１６９】
先行技術では、ドップラー周波数シフトによって生じる複数のUEランダム・アクセス・シーケンス間の相互干渉を回避するために、既存のLTEシステムが専用に設計されており、この設計は、ドップラー周波数シフトがPRACHサブキャリア間隔の1倍より小さいという前提に基づくものである。本発明では、UEのドップラー周波数シフトが第1の所定値（第1の所定値はPRACHサブキャリア間隔の1倍より大きい）以上であるときに、UEは、基地局によって命令されるように第2の限定セットを用いてランダム・アクセス・ZCシーケンスを生成する。
【０１７０】
先行技術では、ドップラー周波数シフトによって生じる複数のUEランダム・アクセス・シーケンス間の相互干渉を回避するために、既存のLTEシステムが専用に設計されており、この設計は、ドップラー周波数シフトがPRACHサブキャリア間隔の1倍より小さいという前提に基づくものである。しかし、無線通信の要件が絶え間なく増大するに従い、LTEシステムが高い動作周波数で通信を行うときに、ドップラー周波数シフトがPRACHサブキャリア間隔の1倍より大きく、PRACHサブキャリア間隔の2倍より小さい事例が発生する可能性がある。既存のLTEシステムでは、ドップラー周波数シフトがPRACHサブキャリア間隔の1倍より大きく、PRACHサブキャリア間隔の2倍より小さいときには、複数のUEランダム・アクセス・シーケンス間の相互干渉の問題が生じる。本発明では、UEのドップラー周波数シフトが第1の所定値（第1の所定値はPRACHサブキャリア間隔の1倍より大きい）以上であるときに、UEは、基地局によって命令されるように第2の限定セットを用いてランダム・アクセス・ZCシーケンスを生成し、これによって、ドップラー周波数シフトがPRACHサブキャリア間隔の1倍より大きく、PRACHサブキャリア間隔の2倍より小さい場合のLTEシステムのための専用の設計が実現され、そのため、ドップラー周波数シフトがPRACHサブキャリア間隔の1倍より大きく、PRACHサブキャリア間隔の2倍より小さいときの複数のUEランダム・アクセス・シーケンス間の相互干渉が回避され、基地局によるランダム・アクセス・シーケンス復号の正確さが改善される。
【０１７１】
本実施形態では、UEのドップラー周波数シフトが第1の所定値（第1の所定値はPRACHサブキャリア間隔の1倍より大きい）以上であるときに、UEは、基地局によって命令されるように第2の限定セットを用いてランダム・アクセス・ZCシーケンスを生成し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０１７２】
図9は、本発明によるランダム・アクセス・チャネル・ZCシーケンスを生成するための方法の実施形態7の流れ図である。図9に示すように、本実施形態の方法は以下のステップを含むことができる。
【０１７３】
ステップ901：UEが基地局から通知シグナリングを受信し、通知シグナリングはセット命令情報を含み、セット命令情報は、UEに、ランダム・アクセス・セット内の第2の限定セットを用いてランダム・アクセス・ZCシーケンスを生成するよう命令するのに用いられる。
【０１７４】
ランダム・アクセス・セットは非限定セット、第1の限定セット、および第2の限定セットを含む。
【０１７５】
第2の限定セットは、UEのドップラー周波数シフトが第1の所定値以上であるときにUEが用いる必要のあるランダム・アクセス・セットである。
【０１７６】
非限定セットと第1の限定セットと第2の限定セットとの関係はステップ801での関係と同じであることに留意すべきであり、ここでは詳細を繰り返さない。
【０１７７】
ステップ902：UEは第2の限定セットに従ってシフト通し番号を決定する。
【０１７８】
任意選択で、UEは、0から
【数２６６】
2018088718.tif 000268
までの範囲からシフト通し番号vを選択し、獲得し、vは正の整数であり、
【数２６７】
2018088718.tif 000269
は1グループ内のUEの候補シーケンスシフトの数であり、
【数２６８】
2018088718.tif 000270
はグループの数であり、
【数２６９】
2018088718.tif 000271
は1グループには不十分な最後の長さの内のUEの候補シーケンスシフトの数である。
【０１７９】
任意選択で、UEは0から
【数２７０】
2018088718.tif 000272
までの範囲からシフト通し番号を無作為に選択し、または、UEは0からXまでの範囲内のすべてのシフト通し番号を選択し、トラバースし、Xは
【数２７１】
2018088718.tif 000273
より小さい整数である。
【０１８０】
ステップ903：UEは第2の限定セットおよびシフト通し番号に従って循環シフト値を獲得する。
【０１８１】
任意選択で、UEは、式（1）を用いてシフト通し番号vに従って循環シフト値Cvを獲得する。
【０１８２】
ステップ904：UEは、循環シフト値に従ってランダム・アクセス・ZCシーケンスを生成する。
【０１８３】
任意選択で、UEは、以下の式（14）を用いて循環シフト値に従ってランダム・アクセス・ZCシーケンス
【数２７２】
2018088718.tif 000274
を生成し、
【数２７３】
2018088718.tif 000275
（14）
式中、NZCはシーケンス長であり、Cvは循環シフト値であり、そのルートがuであるZCシーケンスは
【数２７４】
2018088718.tif 000276
として定義される。
【０１８４】
本実施形態の
【数２７５】
2018088718.tif 000277
、dstart、
【数２７６】
2018088718.tif 000278
、および
【数２７７】
2018088718.tif 000279
に関する具体的な説明は、ランダム・アクセス・チャネル・ZCシーケンスを生成するための方法の実施形態3の具体的な説明と同じであり、ここでは詳細を繰り返さない。
【０１８５】
本実施形態では、UEのドップラー周波数シフトが第1の所定値（第1の所定値はPRACHサブキャリア間隔の1倍より大きい）以上であるときに、UEは、第2の限定セットを用い、基地局によって送信されたセット命令情報に従ってランダム・アクセス・ZCシーケンスを生成し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０１８６】
図10は、本発明によるランダム・アクセス・チャネル・ZCシーケンスを生成するための方法の実施形態8の流れ図である。図10に示すように、本実施形態の方法は以下のステップを含むことができる。
【０１８７】
ステップ1001：UEが基地局から第1の通知シグナリングおよび第2の通知シグナリングを受信し、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングはシフト通し番号を含み、シフト通し番号は、UEに、シフト通し番号およびセット命令情報によって指示される第2の限定セットを用いてランダム・アクセス・ZCシーケンスを生成するよう命令するのに用いられる。
【０１８８】
ランダム・アクセス・セットは非限定セット、第1の限定セット、および第2の限定セットを含む。
【０１８９】
第2の限定セットは、UEのドップラー周波数シフトが第1の所定値以上であるときにUEが用いる必要のあるランダム・アクセス・セットである。
【０１９０】
非限定セットと第1の限定セットと第2の限定セットとの関係はステップ801での関係と同じであることに留意すべきであり、ここでは詳細を繰り返さない。
【０１９１】
本ステップでは、UEはシグナリングを用いて基地局からセット命令情報およびシフト通し番号を受信することができることに留意すべきである。
【０１９２】
ステップ1002：UEは第2の限定セットおよびシフト通し番号に従って循環シフト値を獲得する。
【０１９３】
シフト通し番号に従って基地局が循環シフト値を獲得するための方法はステップ903の方法と同じであり、ここでは詳細を繰り返さない。
【０１９４】
UEはステップ1001で基地局からシフト通し番号をすでに受信していることに留意すべきである。したがって、ランダム・アクセス・チャネル・ZCシーケンスを生成するための方法の実施形態6と比べて、本実施形態では、ランダム・アクセス・ZCシーケンスを生成するときに、UEは、シフト通し番号を決定する必要がなくなり、第2の通知シグナリングで基地局によって送信されたシフト通し番号を直接用いる。
【０１９５】
ステップ1003：UEは、循環シフト値に従ってランダム・アクセス・ZCシーケンスを生成する。
【０１９６】
ステップ1003はステップ904と同じであり、ここでは詳細を繰り返さない。
【０１９７】
本実施形態の
【数２７８】
2018088718.tif 000280
、dstart、
【数２７９】
2018088718.tif 000281
、および
【数２８０】
2018088718.tif 000282
に関する具体的な説明は、ランダム・アクセス・チャネル・ZCシーケンスを生成するための方法の実施形態3の具体的な説明と同じであり、ここでは詳細を繰り返さない。
【０１９８】
本実施形態では、UEのドップラー周波数シフトが第1の所定値（第1の所定値はPRACHサブキャリア間隔の1倍より大きい）以上であるときに、UEは、第2の限定セットおよびシフト通し番号を用い、基地局によって送信されたセット命令情報およびシフト通し番号に従ってランダム・アクセス・ZCシーケンスを生成し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０１９９】
図11は、本発明によるランダム・アクセス・チャネル・ZCシーケンスを生成するための方法の実施形態9の流れ図である。図11に示すように、本実施形態の方法は以下のステップを含むことができる。
【０２００】
ステップ1101：UEが基地局から第1の通知シグナリングおよび第2の通知シグナリングを受信し、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングは循環シフト値を含み、循環シフト値は、UEに、循環シフト値およびセット命令情報によって指示される第2の限定セットを用いてランダム・アクセス・ZCシーケンスを生成するよう命令するのに用いられる。
【０２０１】
ランダム・アクセス・セットは非限定セット、第1の限定セット、および第2の限定セットを含む。
【０２０２】
第2の限定セットは、UEのドップラー周波数シフトが第1の所定値以上であるときにUEが用いる必要のあるランダム・アクセス・セットである。
【０２０３】
非限定セットと第1の限定セットと第2の限定セットとの関係はステップ801での関係と同じであることに留意すべきであり、ここでは詳細を繰り返さない。
【０２０４】
本ステップでは、UEはシグナリングを用いて基地局からセット命令情報および循環シフト値を受信することができることに留意すべきである。
【０２０５】
ステップ1102：UEは、循環シフト値に従ってランダム・アクセス・ZCシーケンスを生成する。
【０２０６】
UEはステップ1101で基地局から循環シフト値をすでに受信していることに留意すべきである。したがって、ランダム・アクセス・チャネル・ZCシーケンスを生成するための方法の実施形態7と比べて、本実施形態では、ランダム・アクセス・ZCシーケンスを生成するときに、UEは、循環シフト値を決定する必要がなくなり、第2の通知シグナリングで基地局によって送信された循環シフト値を直接用いる。
【０２０７】
ステップ1102はステップ904と同じであり、ここでは詳細を繰り返さない。
【０２０８】
本実施形態の
【数２８１】
2018088718.tif 000283
、dstart、
【数２８２】
2018088718.tif 000284
、および
【数２８３】
2018088718.tif 000285
に関する具体的な説明は、ランダム・アクセス・チャネル・ZCシーケンスを生成するための方法の実施形態3の具体的な説明と同じであり、ここでは詳細を繰り返さない。
【０２０９】
本実施形態では、UEのドップラー周波数シフトが第1の所定値（第1の所定値はPRACHサブキャリア間隔の1倍より大きい）以上であるときに、UEは、第2の限定セットおよび循環シフト値を用い、基地局によって送信されたセット命令情報および循環シフト値に従ってランダム・アクセス・ZCシーケンスを生成し、これによって、ドップラー周波数シフトがPRACHサブキャリア間隔の1倍より大きく、PRACHサブキャリア間隔の2倍より小さいときに生じる複数のUEランダム・アクセス・シーケンス間の相互干渉の問題が解決され、そのため、複数のUEランダム・アクセス・シーケンス間の相互干渉が回避され、基地局によるランダム・アクセス・シーケンス復号の正確さが改善される。
【０２１０】
図12は、本発明によるランダム・アクセス・チャネル・ZCシーケンスを生成するための方法の実施形態10の流れ図である。図12に示すように、本実施形態の方法は以下のステップを含むことができる。
【０２１１】
ステップ1201：基地局がシフト通し番号を選択する。
【０２１２】
具体的には、基地局は、0から
【数２８４】
2018088718.tif 000286
までの範囲からシフト通し番号vを選択し、vは正の整数であり、
【数２８５】
2018088718.tif 000287
は1グループ内のUEの候補シーケンスシフトの数であり、
【数２８６】
2018088718.tif 000288
はグループの数であり、
【数２８７】
2018088718.tif 000289
は1グループには不十分な最後の長さの内のUEの候補シーケンスシフトの数である。
【０２１３】
ステップ1202：基地局はシフト通し番号に従って循環シフト値を獲得する。
【０２１４】
具体的には、基地局は、以下の式（1）を用いてシフト通し番号vに従って循環シフト値Cvを獲得し、
【数２８８】
2018088718.tif 000290
（1）
式中、doffsetはシフトオフセットであり、dstartは近隣のグループ間の循環シフト距離であり、
【数２８９】
2018088718.tif 000291
は1グループによって区別されうるユーザの数であり、NCSは1ユーザによって占有される循環シフトの数である。
【０２１５】
本実施形態では、
【数２９０】
2018088718.tif 000292
、dstart、
【数２９１】
2018088718.tif 000293
、および
【数２９２】
2018088718.tif 000294
は式（2）から式（5）を満たし、または
【数２９３】
2018088718.tif 000295
、dstart、
【数２９４】
2018088718.tif 000296
、および
【数２９５】
2018088718.tif 000297
は式（6）から式（9）を満たし、または
【数２９６】
2018088718.tif 000298
、dstart、
【数２９７】
2018088718.tif 000299
、および
【数２９８】
2018088718.tif 000300
は式（10）から式（13）を満たす。
【０２１６】
本実施形態の
【数２９９】
2018088718.tif 000301
、dstart、
【数３００】
2018088718.tif 000302
、および
【数３０１】
2018088718.tif 000303
に関する具体的な説明は、ランダム・アクセス・チャネル・ZCシーケンスを生成するための方法の実施形態3の具体的な説明と同じであることに留意すべきであり、ここでは詳細を繰り返さない。
【０２１７】
任意選択で、NCS≦du＜NZC／5であるとき、
【数３０２】
2018088718.tif 000304
、dstart、
【数３０３】
2018088718.tif 000305
、および
【数３０４】
2018088718.tif 000306
は式（2）から式（5）を満たし、NZC／5≦du≦（NZC−NCS）／4であるとき、
【数３０５】
2018088718.tif 000307
、dstart、
【数３０６】
2018088718.tif 000308
、および
【数３０７】
2018088718.tif 000309
は式（6）から式（9）を満たし、または、（NZC＋NCS）／4≦du≦（NZC−NCS）／3であるとき、
【数３０８】
2018088718.tif 000310
、dstart、
【数３０９】
2018088718.tif 000311
、および
【数３１０】
2018088718.tif 000312
は式（10）から式（13）を満たす。
【０２１８】
本実施形態では、0から
【数３１１】
2018088718.tif 000313
までの範囲から、式（2）から式（5）を満たし、または式（6）から式（9）を満たし、または式（10）から式（13）を満たす
【数３１２】
2018088718.tif 000314
、dstart、
【数３１３】
2018088718.tif 000315
、および
【数３１４】
2018088718.tif 000316
を用いてシフト通し番号が選択され、式（1）を用いてシフト通し番号に従って循環シフト値が獲得され、そのため、基地局は獲得された循環シフト値を用いてそのルートがuであるZCシーケンスをシフトさせ、UEによって送信されたランダム・アクセス・ZCシーケンスを検出し、それによって、基地局による、UEによって送信されたランダム・アクセス・ZCシーケンス復号の正確さが改善される。
【０２１９】
図13は、本発明によるランダム・アクセス・チャネル・ZCシーケンスを生成するための方法の実施形態11の流れ図である。図13に示すように、本実施形態の方法は以下のステップを含むことができる。
【０２２０】
ステップ1301：ユーザ機器UEがシフト通し番号を選択する。
【０２２１】
具体的には、UEは、0から
【数３１５】
2018088718.tif 000317
までの範囲からシフト通し番号vを選択し、vは正の整数であり、
【数３１６】
2018088718.tif 000318
は1グループ内のUEの候補シーケンスシフトの数であり、
【数３１７】
2018088718.tif 000319
はグループの数であり、
【数３１８】
2018088718.tif 000320
は1グループには不十分な最後の長さの内のUEの候補シーケンスシフトの数である。
【０２２２】
ステップ1302：UEはシフト通し番号に従って循環シフト値を獲得する。
【０２２３】
具体的には、UEは、以下の式（1）を用いてシフト通し番号vに従って循環シフト値Cvを獲得し、
【数３１９】
2018088718.tif 000321
（1）
式中、doffsetはシフトオフセットであり、dstartは近隣のグループ間の循環シフト距離であり、
【数３２０】
2018088718.tif 000322
は1グループによって区別されうるユーザの数であり、NCSは1ユーザによって占有される循環シフトの数である。
【０２２４】
ステップ1303：UEは、循環シフト値に従ってランダム・アクセス・ZCシーケンスを生成する。
【０２２５】
具体的には、UEは、以下の式（14）を用いて循環シフト値Cvに従ってランダム・アクセス・ZCシーケンス
【数３２１】
2018088718.tif 000323
を生成し、
【数３２２】
2018088718.tif 000324
（14）
式中、NZCはシーケンス長であり、そのルートがuであるZCシーケンスは
【数３２３】
2018088718.tif 000325
として定義される。
【０２２６】
本実施形態では、
【数３２４】
2018088718.tif 000326
、dstart、
【数３２５】
2018088718.tif 000327
、および
【数３２６】
2018088718.tif 000328
は式（2）から式（5）を満たし、または
【数３２７】
2018088718.tif 000329
、dstart、
【数３２８】
2018088718.tif 000330
、および
【数３２９】
2018088718.tif 000331
は式（6）から式（9）を満たし、または
【数３３０】
2018088718.tif 000332
、dstart、
【数３３１】
2018088718.tif 000333
、および
【数３３２】
2018088718.tif 000334
は式（10）から式（13）を満たす。
【０２２７】
本実施形態の
【数３３３】
2018088718.tif 000335
、dstart、
【数３３４】
2018088718.tif 000336
、および
【数３３５】
2018088718.tif 000337
に関する具体的な説明は、ランダム・アクセス・チャネル・ZCシーケンスを生成するための方法の実施形態3の具体的な説明と同じであることに留意すべきであり、ここでは詳細を繰り返さない。
【０２２８】
任意選択で、NCS≦du＜NZC／5であるとき、
【数３３６】
2018088718.tif 000338
、dstart、
【数３３７】
2018088718.tif 000339
、および
【数３３８】
2018088718.tif 000340
は式（2）から式（5）を満たし、NZC／5≦du≦（NZC−NCS）／4であるとき、
【数３３９】
2018088718.tif 000341
、dstart、
【数３４０】
2018088718.tif 000342
、および
【数３４１】
2018088718.tif 000343
は式（6）から式（9）を満たし、または、（NZC＋NCS）／4≦du≦（NZC−NCS）／3であるとき、
【数３４２】
2018088718.tif 000344
、dstart、
【数３４３】
2018088718.tif 000345
、および
【数３４４】
2018088718.tif 000346
は式（10）から式（13）を満たす。
【０２２９】
本実施形態では、0から
【数３４５】
2018088718.tif 000347
までの範囲から、式（2）から式（5）を満たし、または式（6）から式（9）を満たし、または式（10）から式（13）を満たす
【数３４６】
2018088718.tif 000348
、dstart、
【数３４７】
2018088718.tif 000349
、および
【数３４８】
2018088718.tif 000350
を用いてシフト通し番号が選択され、式（1）を用いてシフト通し番号に従って循環シフト値が獲得され、循環シフト値に従ってランダム・アクセス・ZCシーケンスが生成され、これによって、ドップラー周波数シフトがPRACHサブキャリア間隔の1倍より大きく、PRACHサブキャリア間隔の2倍より小さいときに基地局の受信端によって生成される5つのピークポイントに対応するZCシーケンスが、別のユーザに割り振られるのが妨げられ、そのため、複数のUEによって生成されるランダム・アクセス・ZCシーケンス間の相互干渉の問題が回避され、基地局によるランダム・アクセス・シーケンス復号の正確さが改善される。
【０２３０】
図14は、本発明による基地局の実施形態1の概略的構造図である。図14に示すように、本実施形態の基地局は、生成モジュール1401と、送信モジュール1402とを含むことができる。生成モジュール1401は、通知シグナリングを生成するように構成されており、通知シグナリングは、UEに、ランダム・アクセス・セット内の第2の限定セットを用いてランダム・アクセス・ZCシーケンスを生成するよう命令するのに用いられる。送信モジュール1402は、UEが第2の限定セットを用いてランダム・アクセス・ZCシーケンスを生成するように、UEへ通知シグナリングを送信するように構成されている。
【０２３１】
ランダム・アクセス・セットは非限定セット、第1の限定セット、および第2の限定セットを含む。
【０２３２】
第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【０２３３】
本実施形態の基地局は、図1に示す方法実施形態の技術的解決策を実行するように構成することができる。これらの実施原理および技術的効果は同様であり、ここでは詳細を繰り返さない。
【０２３４】
図15は、本発明による基地局の実施形態2の概略的構造図である。図15に示すように、本実施形態の基地局は、図14に示す基地局の構造に基づくものである。さらに、本基地局は獲得モジュール1403をさらに含むことができ、獲得モジュール1403はUEのドップラー周波数シフトを獲得するように構成されている。生成モジュール1401は、UEのドップラー周波数シフトが第1の所定値以上である場合、通知シグナリングを生成するように特に構成されており、通知シグナリングは、UEに、ランダム・アクセス・セット内の第2の限定セットを用いてランダム・アクセス・ZCシーケンスを生成するよう命令するのに用いられる。
【０２３５】
本実施形態の基地局は、ランダム・アクセス・チャネル・ZCシーケンスを生成するための方法の実施形態2の技術的解決策を実行するように構成することができる。これらの実施原理および技術的効果は同様であり、ここでは詳細を繰り返さない。
【０２３６】
図16は、本発明による基地局の実施形態3の概略的構造図である。図16に示すように、本実施形態の基地局は、図14に示す基地局の構造に基づくものである。さらに、生成モジュール1401は通知シグナリングを生成するように特に構成されており、通知シグナリングはセット命令情報を含み、セット命令情報は、UEに、ランダム・アクセス・セット内の第2の限定セットを用いてランダム・アクセス・ZCシーケンスを生成するよう命令するのに用いられる。
【０２３７】
任意選択で、基地局は、第2の限定セットに従ってシフト通し番号を決定するように構成された、シフト通し番号決定モジュール1404と、第2の限定セットおよびシフト通し番号に従って循環シフト値を獲得するように構成された、循環シフト値決定モジュール1405と、循環シフト値に従ってZCシーケンスを生成し、ZCシーケンスを用いて、UEによって送信されたランダム・アクセス・ZCシーケンスを検出するように構成された、ランダム・アクセス・ZCシーケンス検出モジュール1406であって、ランダム・アクセス・ZCシーケンスは第2の限定セットを用いてUEによって生成される、ランダム・アクセス・ZCシーケンス検出モジュール1406と、をさらに含むこともできる。
【０２３８】
任意選択で、シフト通し番号決定モジュール1404は、0から
【数３４９】
2018088718.tif 000351
までの範囲からシフト通し番号vを選択するように特に構成されており、vは正の整数であり、
【数３５０】
2018088718.tif 000352
は1グループ内のUEの候補シーケンスシフトの数であり、
【数３５１】
2018088718.tif 000353
はグループの数であり、
【数３５２】
2018088718.tif 000354
は1グループには不十分な最後の長さの内のUEの候補シーケンスシフトの数である。
【０２３９】
任意選択で、循環シフト値決定モジュール1405は、以下の式（1）を用いてシフト通し番号vに従ってUEの循環シフト値Cvを獲得するように特に構成されている。
【０２４０】
本実施形態の基地局は、図2に示す方法実施形態の技術的解決策を実行するように構成することができる。これらの実施原理および技術的効果は同様であり、ここでは詳細を繰り返さない。
【０２４１】
図17は、本発明による基地局の実施形態4の概略的構造図である。図17に示すように、本実施形態の基地局は、図14に示す基地局の構造に基づくものである。さらに、生成モジュール1401は第1の通知シグナリングおよび第2の通知シグナリングを生成するように特に構成されており、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングはシフト通し番号を含み、シフト通し番号は、UEに、シフト通し番号およびセット命令情報によって指示される第2の限定セットを用いてランダム・アクセス・ZCシーケンスを生成するよう命令するのに用いられる。
【０２４２】
任意選択で、基地局は、生成モジュールがシフト通し番号に従って第2の通知シグナリングを生成するように、第2の限定セットに従ってシフト通し番号を決定するように構成された、シフト通し番号決定モジュール1404、をさらに含むこともできる。
【０２４３】
さらに、任意選択で、基地局は、第2の限定セットおよびシフト通し番号に従って循環シフト値を獲得するように構成された、循環シフト値決定モジュール1405と、循環シフト値に従ってZCシーケンスを生成し、ZCシーケンスを用いて、UEによって送信されたランダム・アクセス・ZCシーケンスを検出するように構成された、ランダム・アクセス・ZCシーケンス検出モジュール1406であって、ランダム・アクセス・ZCシーケンスは第2の限定セットを用いてUEによって生成される、ランダム・アクセス・ZCシーケンス検出モジュール1406と、をさらに含むこともできる。
【０２４４】
任意選択で、シフト通し番号決定モジュール1404は、0から
【数３５３】
2018088718.tif 000355
までの範囲からシフト通し番号vを選択するように特に構成されており、vは正の整数であり、
【数３５４】
2018088718.tif 000356
は1グループ内のUEの候補シーケンスシフトの数であり、
【数３５５】
2018088718.tif 000357
はグループの数であり、
【数３５６】
2018088718.tif 000358
は1グループには不十分な最後の長さの内のUEの候補シーケンスシフトの数である。
【０２４５】
任意選択で、循環シフト値決定モジュール1405は、以下の式（1）を用いてシフト通し番号vに従ってUEの循環シフト値Cvを獲得するように特に構成されている。
【０２４６】
本実施形態の基地局は、図6に示す方法実施形態の技術的解決策を実行するように構成することができる。これらの実施原理および技術的効果は同様であり、ここでは詳細を繰り返さない。
【０２４７】
図18は、本発明による基地局の実施形態5の概略的構造図である。図18に示すように、本実施形態の基地局は、図14に示す基地局の構造に基づくものである。さらに、生成モジュール1401は第1の通知シグナリングおよび第2の通知シグナリングを生成するように特に構成されており、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングは循環シフト値を含み、循環シフト値は、UEに、循環シフト値およびセット命令情報によって指示される第2の限定セットを用いてランダム・アクセス・ZCシーケンスを生成するよう命令するのに用いられる。
【０２４８】
任意選択で、基地局は、第2の限定セットに従ってシフト通し番号を決定するように構成された、シフト通し番号決定モジュール1404と、生成モジュールが循環シフト値に従って第2の通知シグナリングを生成するように、第2の限定セットおよびシフト通し番号に従って循環シフト値を獲得するように構成された、循環シフト値決定モジュール1405と、をさらに含むこともできる。
【０２４９】
さらに、任意選択で、基地局は、循環シフト値に従ってZCシーケンスを生成し、ZCシーケンスを用いて、UEによって送信されたランダム・アクセス・ZCシーケンスを検出するように構成された、ランダム・アクセス・ZCシーケンス検出モジュール1406であって、ランダム・アクセス・ZCシーケンスは第2の限定セットを用いてUEによって生成される、ランダム・アクセス・ZCシーケンス検出モジュール1406、をさらに含むこともできる。
【０２５０】
任意選択で、シフト通し番号決定モジュール1404は、0から
【数３５７】
2018088718.tif 000359
までの範囲からシフト通し番号vを選択するように特に構成されており、vは正の整数であり、
【数３５８】
2018088718.tif 000360
は1グループ内のUEの候補シーケンスシフトの数であり、
【数３５９】
2018088718.tif 000361
はグループの数であり、
【数３６０】
2018088718.tif 000362
は1グループには不十分な最後の長さの内のUEの候補シーケンスシフトの数である。
【０２５１】
任意選択で、循環シフト値決定モジュール1405は、以下の式（1）を用いてシフト通し番号vに従ってUEの循環シフト値Cvを獲得するように特に構成されている。
【０２５２】
本実施形態の基地局は、図7に示す方法実施形態の技術的解決策を実行するように構成することができる。これらの実施原理および技術的効果は同様であり、ここでは詳細を繰り返さない。
【０２５３】
図19は、本発明による基地局の実施形態6の概略的構造図である。図19に示すように、本実施形態の基地局は、シフト通し番号決定モジュール1901と、循環シフト値決定モジュール1902とを含むことができる。シフト通し番号決定モジュール1901は、0から
【数３６１】
2018088718.tif 000363
までの範囲からシフト通し番号vを選択するように構成されており、vは正の整数であり、
【数３６２】
2018088718.tif 000364
は1グループ内のUEの候補シーケンスシフトの数であり、
【数３６３】
2018088718.tif 000365
はグループの数であり、
【数３６４】
2018088718.tif 000366
は1グループには不十分な最後の長さの内のUEの候補シーケンスシフトの数である。循環シフト値決定モジュール1902は、式（1）を用いてシフト通し番号vに従って循環シフト値Cvを獲得するように構成されている。
【０２５４】
【数３６５】
2018088718.tif 000367
、dstart、
【数３６６】
2018088718.tif 000368
、および
【数３６７】
2018088718.tif 000369
は式（2）から式（5）を満たし、または
【数３６８】
2018088718.tif 000370
、dstart、
【数３６９】
2018088718.tif 000371
、および
【数３７０】
2018088718.tif 000372
は式（6）から式（9）を満たし、または
【数３７１】
2018088718.tif 000373
、dstart、
【数３７２】
2018088718.tif 000374
、および
【数３７３】
2018088718.tif 000375
は式（10）から式（13）を満たす。
【０２５５】
任意選択で、NCS≦du＜NZC／5であるとき、
【数３７４】
2018088718.tif 000376
、dstart、
【数３７５】
2018088718.tif 000377
、および
【数３７６】
2018088718.tif 000378
は式（2）から式（5）を満たし、NZC／5≦du≦（NZC−NCS）／4であるとき、
【数３７７】
2018088718.tif 000379
、dstart、
【数３７８】
2018088718.tif 000380
、および
【数３７９】
2018088718.tif 000381
は式（6）から式（9）を満たし、または、（NZC＋NCS）／4≦du≦（NZC−NCS）／3であるとき、
【数３８０】
2018088718.tif 000382
、dstart、
【数３８１】
2018088718.tif 000383
、および
【数３８２】
2018088718.tif 000384
は式（10）から式（13）を満たす。
【０２５６】
本実施形態の基地局は、図12に示す方法実施形態の技術的解決策を実行するように構成することができる。これらの実施原理および技術的効果は同様であり、ここでは詳細を繰り返さない。
【０２５７】
図20は、本発明によるユーザ機器の実施形態1の概略的構造図である。図20に示すように、本実施形態のユーザ機器は、受信モジュール2001と、生成モジュール2002とを含むことができる。受信モジュール2001は、基地局から通知シグナリングを受信するように構成されており、通知シグナリングは、ユーザ機器UEに、ランダム・アクセス・セット内の第2の限定セットを用いてランダム・アクセス・ZCシーケンスを生成するよう命令するのに用いられる。生成モジュール2002は、第2の限定セットに従ってランダム・アクセス・ZCシーケンスを生成するように構成されている。
【０２５８】
ランダム・アクセス・セットは非限定セット、第1の限定セット、および第2の限定セットを含み、第2の限定セットは、UEのドップラー周波数シフトが第1の所定値以上であるときにUEが用いる必要のあるランダム・アクセス・セットであり、第1の所定値は物理ランダム・アクセス・チャネルPRACHサブキャリア間隔の1倍より大きい。
【０２５９】
本実施形態のユーザ機器は、図8に示す方法実施形態の技術的解決策を実行するように構成することができる。これらの実施原理および技術的効果は同様であり、ここでは詳細を繰り返さない。
【０２６０】
図21は、本発明によるユーザ機器の実施形態2の概略的構造図である。図21に示すように、本実施形態のユーザ機器は、図20に示す基地局の構造に基づくものである。さらに、受信モジュール2001は基地局から通知シグナリングを受信するように特に構成されており、通知シグナリングはセット命令情報を含み、セット命令情報は、UEに、ランダム・アクセス・セット内の第2の限定セットを用いてランダム・アクセス・ZCシーケンスを生成するよう命令するのに用いられる。生成モジュール2002は、第2の限定セットに従ってシフト通し番号を決定するように構成された、シフト通し番号決定モジュール20021と、第2の限定セットおよびシフト通し番号に従って循環シフト値を獲得するように構成された、循環シフト値決定モジュール20022と、循環シフト値に従ってランダム・アクセス・ZCシーケンスを生成するように構成された、ランダム・アクセス・ZCシーケンス生成モジュール20023と、を含む。
【０２６１】
任意選択で、シフト通し番号決定モジュール20021は、0から
【数３８３】
2018088718.tif 000385
までの範囲からシフト通し番号vを選択するように特に構成されており、vは正の整数であり、
【数３８４】
2018088718.tif 000386
は1グループ内のUEの候補シーケンスシフトの数であり、
【数３８５】
2018088718.tif 000387
はグループの数であり、
【数３８６】
2018088718.tif 000388
は1グループには不十分な最後の長さの内のUEの候補シーケンスシフトの数である。
【０２６２】
任意選択で、循環シフト値決定モジュール20022は、以下の式（1）を用いてシフト通し番号vに従って循環シフト値Cvを獲得するように特に構成されている。
【０２６３】
任意選択で、ランダム・アクセス・ZCシーケンス生成モジュール20023は、以下の式（14）を用いて循環シフト値に従ってランダム・アクセス・ZCシーケンス
【数３８７】
2018088718.tif 000389
を生成するように特に構成されている。
【０２６４】
本実施形態のユーザ機器は、図9に示す方法実施形態の技術的解決策を実行するように構成することができる。これらの実施原理および技術的効果は同様であり、ここでは詳細を繰り返さない。
【０２６５】
図22は、本発明によるユーザ機器の実施形態3の概略的構造図である。図22に示すように、本実施形態のユーザ機器は、図20に示す基地局の構造に基づくものである。さらに、受信モジュール2001は基地局から第1の通知シグナリングおよび第2の通知シグナリングを受信するように特に構成されており、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングはシフト通し番号を含み、シフト通し番号は、UEに、シフト通し番号およびセット命令情報によって指示される第2の限定セットを用いてランダム・アクセス・ZCシーケンスを生成するよう命令するのに用いられる。生成モジュール2002は、第2の限定セットおよびシフト通し番号に従って循環シフト値を獲得するように構成された、循環シフト値決定モジュール20022と、循環シフト値に従ってランダム・アクセス・ZCシーケンスを生成するように構成された、ランダム・アクセス・ZCシーケンス生成モジュール20023と、を含む。
【０２６６】
任意選択で、循環シフト値決定モジュール20022は、以下の式（1）を用いてシフト通し番号vに従って循環シフト値Cvを獲得するように特に構成されている。
【０２６７】
任意選択で、ランダム・アクセス・ZCシーケンス生成モジュール20023は、以下の式（14）を用いて循環シフト値に従ってランダム・アクセス・ZCシーケンス
【数３８８】
2018088718.tif 000390
を生成するように特に構成されている。
【０２６８】
本実施形態のユーザ機器は、図10に示す方法実施形態の技術的解決策を実行するように構成することができる。これらの実施原理および技術的効果は同様であり、ここでは詳細を繰り返さない。
【０２６９】
図23は、本発明によるユーザ機器の実施形態4の概略的構造図である。図23に示すように、本実施形態のユーザ機器は、図20に示す基地局の構造に基づくものである。さらに、受信モジュール2001は基地局から第1の通知シグナリングおよび第2の通知シグナリングを受信するように特に構成されており、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングは循環シフト値を含み、循環シフト値は、UEに、循環シフト値およびセット命令情報によって指示される第2の限定セットを用いてランダム・アクセス・ZCシーケンスを生成するよう命令するのに用いられる。生成モジュール2002は、循環シフト値に従ってランダム・アクセス・ZCシーケンスを生成するように構成された、ランダム・アクセス・ZCシーケンス生成モジュール20023を含む。
【０２７０】
任意選択で、ランダム・アクセス・ZCシーケンス生成モジュール20023は、以下の式（14）を用いて循環シフト値に従ってランダム・アクセス・ZCシーケンス
【数３８９】
2018088718.tif 000391
を生成するように特に構成されている。
【０２７１】
本実施形態のユーザ機器は、図11に示す方法実施形態の技術的解決策を実行するように構成することができる。これらの実施原理および技術的効果は同様であり、ここでは詳細を繰り返さない。
【０２７２】
図24は、本発明によるユーザ機器の実施形態5の概略的構造図である。図24に示すように、本実施形態のユーザ機器は、シフト通し番号決定モジュール2401と、循環シフト値決定モジュール2402と、ランダム・アクセス・ZCシーケンス生成モジュール2403と、を含むことができる。シフト通し番号決定モジュール2401は、0から
【数３９０】
2018088718.tif 000392
までの範囲からシフト通し番号vを選択するように構成されており、vは正の整数であり、
【数３９１】
2018088718.tif 000393
は1グループ内のUEの候補シーケンスシフトの数であり、
【数３９２】
2018088718.tif 000394
はグループの数であり、
【数３９３】
2018088718.tif 000395
は1グループには不十分な最後の長さの内のUEの候補シーケンスシフトの数である。循環シフト値決定モジュール2402は、式（1）を用いてシフト通し番号vに従って循環シフト値Cvを獲得するように構成されている。ランダム・アクセス・ZCシーケンス生成モジュール2403は、式（14）を用いて循環シフト値Cvに従ってランダム・アクセス・ZCシーケンス
【数３９４】
2018088718.tif 000396
を生成するように構成されている。
【０２７３】
【数３９５】
2018088718.tif 000397
、dstart、
【数３９６】
2018088718.tif 000398
、および
【数３９７】
2018088718.tif 000399
は式（2）から式（5）を満たし、または
【数３９８】
2018088718.tif 000400
、dstart、
【数３９９】
2018088718.tif 000401
、および
【数４００】
2018088718.tif 000402
は式（6）から式（9）を満たし、または
【数４０１】
2018088718.tif 000403
、dstart、
【数４０２】
2018088718.tif 000404
、および
【数４０３】
2018088718.tif 000405
は式（10）から式（13）を満たす。
【０２７４】
任意選択で、NCS≦du＜NZC／5であるとき、
【数４０４】
2018088718.tif 000406
、dstart、
【数４０５】
2018088718.tif 000407
、および
【数４０６】
2018088718.tif 000408
は式（2）から式（5）を満たし、NZC／5≦du≦（NZC−NCS）／4であるとき、
【数４０７】
2018088718.tif 000409
、dstart、
【数４０８】
2018088718.tif 000410
、および
【数４０９】
2018088718.tif 000411
は式（6）から式（9）を満たし、または、（NZC＋NCS）／4≦du≦（NZC−NCS）／3であるとき、
【数４１０】
2018088718.tif 000412
、dstart、
【数４１１】
2018088718.tif 000413
、および
【数４１２】
2018088718.tif 000414
は式（10）から式（13）を満たす。
【０２７５】
本実施形態のユーザ機器は、図13に示す方法実施形態の技術的解決策を実行するように構成することができる。これらの実施原理および技術的効果は同様であり、ここでは詳細を繰り返さない。
【０２７６】
当業者は、前述の方法実施形態の各ステップの全部または一部を関連ハードウェアに命令するプログラムによって実現することができることを理解するであろう。前述のプログラムは、コンピュータ可読記憶媒体に記憶することができる。プログラムが走ると、前述の方法の各ステップが行われる。前述の記憶媒体は、ROM、RAM、磁気ディスク、光ディスクといった、プログラムコードを記憶することのできる任意の媒体を含む。
【０２７７】
最後に、前述の実施形態は単に本発明の技術的解決策を説明するためのものにすぎず、本発明を限定するためのものではないことに留意すべきである。本発明は前述の実施形態に関連して詳細に説明されているが、当業者は、本発明の実施形態の技術的解決策の範囲を逸脱することなく、前述の実施形態で記述されている技術的解決策にさらに改変を加え、あるいは、前述の実施形態の一部または全部の技術的特徴に対する等価の置換を行うことができることを理解するはずである。
【符号の説明】
【０２７８】
1401  生成モジュール
1402  送信モジュール
1403  獲得モジュール
1404  シフト通し番号決定モジュール
1405  循環シフト値決定モジュール
1406  ランダム・アクセス・ZCシーケンス検出モジュール
1901  シフト通し番号決定モジュール
1902  循環シフト値決定モジュール
2001  受信モジュール
2002  生成モジュール
20021  シフト通し番号決定モジュール
20022  循環シフト値決定モジュール
20023  ランダム・アクセス・ZCシーケンス生成モジュール
2401  シフト通し番号決定モジュール
2402  循環シフト値決定モジュール
2403  ランダム・アクセス・ZCシーケンス生成モジュール
【図１】
2018088718.tif 000715
【図２】
2018088718.tif 000716
【図３】
2018088718.tif 000717
【図４】
2018088718.tif 000718
【図５Ａ】
2018088718.tif 000719
【図５Ｂ】
2018088718.tif 000720
【図６】
2018088718.tif 000721
【図７】
2018088718.tif 000722
【図８】
2018088718.tif 000723
【図９】
2018088718.tif 000724
【図１０】
2018088718.tif 000725
【図１１】
2018088718.tif 000726
【図１２】
2018088718.tif 000727
【図１３】
2018088718.tif 000728
【図１４】
2018088718.tif 000729
【図１５】
2018088718.tif 000730
【図１６】
2018088718.tif 000731
【図１７】
2018088718.tif 000732
【図１８】
2018088718.tif 000733
【図１９】
2018088718.tif 000734
【図２０】
2018088718.tif 000735
【図２１】
2018088718.tif 000736
【図２２】
2018088718.tif 000737
【図２３】
2018088718.tif 000738
【図２４】
2018088718.tif 000739
【手続補正書】
【提出日】平成30年3月19日(2018.3.19)
【手続補正１】
【補正対象書類名】明細書
【補正対象項目名】０１９３
【補正方法】変更
【補正の内容】
【０１９３】
シフト通し番号に従ってUEが循環シフト値を獲得するための方法はステップ903の方法と同じであり、ここでは詳細を繰り返さない。
【手続補正２】
【補正対象書類名】明細書
【補正対象項目名】０２６０
【補正方法】変更
【補正の内容】
【０２６０】
図21は、本発明によるユーザ機器の実施形態2の概略的構造図である。図21に示すように、本実施形態のユーザ機器は、図20に示すユーザ機器の構造に基づくものである。さらに、受信モジュール2001は基地局から通知シグナリングを受信するように特に構成されており、通知シグナリングはセット命令情報を含み、セット命令情報は、UEに、ランダム・アクセス・セット内の第2の限定セットを用いてランダム・アクセス・ZCシーケンスを生成するよう命令するのに用いられる。生成モジュール2002は、第2の限定セットに従ってシフト通し番号を決定するように構成された、シフト通し番号決定モジュール20021と、第2の限定セットおよびシフト通し番号に従って循環シフト値を獲得するように構成された、循環シフト値決定モジュール20022と、循環シフト値に従ってランダム・アクセス・ZCシーケンスを生成するように構成された、ランダム・アクセス・ZCシーケンス生成モジュール20023と、を含む。
【手続補正３】
【補正対象書類名】明細書
【補正対象項目名】０２６５
【補正方法】変更
【補正の内容】
【０２６５】
図22は、本発明によるユーザ機器の実施形態3の概略的構造図である。図22に示すように、本実施形態のユーザ機器は、図20に示すユーザ機器の構造に基づくものである。さらに、受信モジュール2001は基地局から第1の通知シグナリングおよび第2の通知シグナリングを受信するように特に構成されており、第1の通知シグナリングはセット命令情報を含み、セット命令情報は、UEに、ランダム・アクセス・セット内の第2の限定セットを用いてランダム・アクセス・ZCシーケンスを生成するよう命令するのに用いられ、第2の通知シグナリングはシフト通し番号を含み、シフト通し番号は、UEに、シフト通し番号およびセット命令情報によって指示される第2の限定セットを用いてランダム・アクセス・ZCシーケンスを生成するよう命令するのに用いられる。生成モジュール2002は、第2の限定セットおよびシフト通し番号に従って循環シフト値を獲得するように構成された、循環シフト値決定モジュール20022と、循環シフト値に従ってランダム・アクセス・ZCシーケンスを生成するように構成された、ランダム・アクセス・ZCシーケンス生成モジュール20023と、を含む。
【手続補正４】
【補正対象書類名】特許請求の範囲
【補正対象項目名】全文
【補正方法】変更
【補正の内容】
【特許請求の範囲】
【請求項１】
ランダム・アクセス・チャネル・ZCシーケンスを生成するための方法であって、
0から
【数１】
2018088718.tif 000740
までの範囲からシフト通し番号vを選択するステップと、
前記シフト通し番号vに従って循環シフト値Cvを獲得するステップであって、
Cvは、以下の式（1）を満たし、
【数２】
2018088718.tif 000741
（1）
式中、doffsetは整数定数であるか、またはdoffsetはゼロであり、
NCSは1ユーザによって占有される循環シフトの数であり、
【数３】
2018088718.tif 000742
、dstart、
【数４】
2018088718.tif 000743
、および
【数５】
2018088718.tif 000744
は式（2）から式（5）を満たし、または
【数６】
2018088718.tif 000745
、dstart、
【数７】
2018088718.tif 000746
、および
【数８】
2018088718.tif 000747
は式（6）から式（9）を満たし、または
【数９】
2018088718.tif 000748
、dstart、
【数１０】
2018088718.tif 000749
、および
【数１１】
2018088718.tif 000750
は式（10）から式（13）を満たし、
【数１２】
2018088718.tif 000751
（2）、
【数１３】
2018088718.tif 000752
（3）、
【数１４】
2018088718.tif 000753
（4）、
【数１５】
2018088718.tif 000754
（5）、
【数１６】
2018088718.tif 000755
（6）、
【数１７】
2018088718.tif 000756
（7）、
【数１８】
2018088718.tif 000757
（8）、
【数１９】
2018088718.tif 000758
（9）、
【数２０】
2018088718.tif 000759
（10）、
【数２１】
2018088718.tif 000760
（11）、
【数２２】
2018088718.tif 000761
（12）、および
【数２３】
2018088718.tif 000762
（13）
であり、
前記ランダム・アクセス・チャネル・ZCシーケンスのルートはuであり、du＝u-1であり、u-1は、（（1／u）×u）mod NZC＝1を満たす最小の非負の整数であり、NZCは、前記ランダム・アクセス・チャネル・ZCシーケンスの長さである、前記ステップと、
前記循環シフト値Cvに従ってランダム・アクセス・チャネル・ZCシーケンスを生成するステップと、
を含む、方法。
【請求項２】
NCS≦du＜NZC／5である場合、
【数２４】
2018088718.tif 000763
、dstart、
【数２５】
2018088718.tif 000764
、および
【数２６】
2018088718.tif 000765
は式（2）から式（5）を満たし、または、NZC／5≦du≦（NZC−NCS）／4である場合、
【数２７】
2018088718.tif 000766
、dstart、
【数２８】
2018088718.tif 000767
、および
【数２９】
2018088718.tif 000768
は式（6）から式（9）を満たし、または、（NZC＋NCS）／4≦du≦（NZC−NCS）／3である場合、
【数３０】
2018088718.tif 000769
、dstart、
【数３１】
2018088718.tif 000770
、および
【数３２】
2018088718.tif 000771
は式（10）から式（13）を満たす、請求項1に記載の方法。
【請求項３】
前記循環シフト値Cvに従って前記ランダム・アクセス・チャネル・ZCシーケンスを生成するステップは、
前記循環シフト値Cvに従って前記ランダム・アクセス・チャネル・ZCシーケンス
【数３３】
2018088718.tif 000772
を生成するステップであって、
【数３４】
2018088718.tif 000773
は、下記の式（14）を満たし、
【数３５】
2018088718.tif 000774
（14）
式中、前記ランダム・アクセス・チャネル・ZCシーケンスの前記ルートuは
【数３６】
2018088718.tif 000775
を満たす、ステップを含む、請求項1または2に記載の方法。
【請求項４】
duは、ドップラー周波数シフトがPRACHサブキャリア間隔の1倍であるときにZCシーケンスが対応する循環シフトである、請求項1から3のいずれか一項に記載の方法。
【請求項５】
前記ランダム・アクセス・チャネル・ZCシーケンスを生成するステップの後に、
前記ランダム・アクセス・チャネル・ZCシーケンスを用いて、ランダム・アクセス・チャネル・ZCシーケンスを検出するステップ
をさらに含む、請求項1から4のいずれか一項に記載の方法。
【請求項６】
ランダム・アクセス・チャネル・ZCシーケンスを生成するための方法であって、
0から
【数３７】
2018088718.tif 000776
までの範囲からシフト通し番号vを選択するステップと、
前記シフト通し番号vに従って循環シフト値Cvを獲得するステップであって、
Cvは、以下の式（1）を満たし、
【数３８】
2018088718.tif 000777
（1）
式中、doffsetは整数定数であるか、またはdoffsetはゼロであり、
NCSは1ユーザによって占有される循環シフトの数であり、
【数３９】
2018088718.tif 000778
、dstart、
【数４０】
2018088718.tif 000779
、および
【数４１】
2018088718.tif 000780
は式（2）から式（5）を満たし、または
【数４２】
2018088718.tif 000781
、dstart、
【数４３】
2018088718.tif 000782
、および
【数４４】
2018088718.tif 000783
は式（6）から式（9）を満たし、または
【数４５】
2018088718.tif 000784
、dstart、
【数４６】
2018088718.tif 000785
、および
【数４７】
2018088718.tif 000786
は式（10）から式（13）を満たし、
【数４８】
2018088718.tif 000787
（2）、
【数４９】
2018088718.tif 000788
（3）、
【数５０】
2018088718.tif 000789
（4）、
【数５１】
2018088718.tif 000790
（5）、
【数５２】
2018088718.tif 000791
（6）、
【数５３】
2018088718.tif 000792
（7）、
【数５４】
2018088718.tif 000793
（8）、
【数５５】
2018088718.tif 000794
（9）、
【数５６】
2018088718.tif 000795
（10）、
【数５７】
2018088718.tif 000796
（11）、
【数５８】
2018088718.tif 000797
（12）、および
【数５９】
2018088718.tif 000798
（13）
である、前記ステップと、
前記ランダム・アクセス・チャネル・ZCシーケンスのルートはuであり、du＝u-1であり、u-1は、（（1／u）×u）mod NZC＝1を満たす最小の非負の整数であり、NZCは、前記ランダム・アクセス・チャネル・ZCシーケンスの長さである、前記ステップと、
前記循環シフト値Cvに従ってランダム・アクセス・チャネル・ZCシーケンスを生成するステップと、
を含む、方法。
【請求項７】
NCS≦du＜NZC／5である場合、
【数６０】
2018088718.tif 000799
、dstart、
【数６１】
2018088718.tif 000800
、および
【数６２】
2018088718.tif 000801
は式（2）から式（5）を満たし、または、NZC／5≦du≦（NZC−NCS）／4である場合、
【数６３】
2018088718.tif 000802
、dstart、
【数６４】
2018088718.tif 000803
、および
【数６５】
2018088718.tif 000804
は式（6）から式（9）を満たし、または、（NZC＋NCS）／4≦du≦（NZC−NCS）／3である場合、
【数６６】
2018088718.tif 000805
、dstart、
【数６７】
2018088718.tif 000806
、および
【数６８】
2018088718.tif 000807
は式（10）から式（13）を満たす、請求項6に記載の方法。
【請求項８】
前記循環シフト値Cvに従って前記ランダム・アクセス・チャネル・ZCシーケンスを生成するステップは、
前記循環シフト値Cvに従って前記ランダム・アクセス・チャネル・ZCシーケンス
【数６９】
2018088718.tif 000808
を生成するステップであって、
【数７０】
2018088718.tif 000809
は、下記の式（14）を満たし、
【数７１】
2018088718.tif 000810
（14）
式中、前記ランダム・アクセス・チャネル・ZCシーケンスの前記ルートuは
【数７２】
2018088718.tif 000811
を満たす、ステップを含む、請求項6または7に記載の方法。
【請求項９】
duは、ドップラー周波数シフトがPRACHサブキャリア間隔の1倍であるときにZCシーケンスが対応する循環シフトである、請求項6から8のいずれか一項に記載の方法。
【請求項１０】
前記ランダム・アクセス・チャネル・ZCシーケンスを生成するステップの後に、
前記ランダム・アクセス・チャネル・ZCシーケンスを送信するステップ
をさらに含む、請求項6から9のいずれか一項に記載の方法。
【請求項１１】
基地局であって、
0から
【数７３】
2018088718.tif 000812
までの範囲からシフト通し番号vを選択するように構成された、シフト通し番号決定モジュールと、
前記シフト通し番号vに従って循環シフト値Cvを獲得するように構成された、循環シフト値決定モジュールであって、
Cvは、以下の式（1）を満たし、
【数７４】
2018088718.tif 000813
（1）
式中、doffsetは整数定数であるか、またはdoffsetはゼロであり、
NCSは1ユーザによって占有される循環シフトの数であり、
【数７５】
2018088718.tif 000814
、dstart、
【数７６】
2018088718.tif 000815
、および
【数７７】
2018088718.tif 000816
は式（2）から式（5）を満たし、または
【数７８】
2018088718.tif 000817
、dstart、
【数７９】
2018088718.tif 000818
、および
【数８０】
2018088718.tif 000819
は式（6）から式（9）を満たし、または
【数８１】
2018088718.tif 000820
、dstart、
【数８２】
2018088718.tif 000821
、および
【数８３】
2018088718.tif 000822
は式（10）から式（13）を満たし、
【数８４】
2018088718.tif 000823
（2）、
【数８５】
2018088718.tif 000824
（3）、
【数８６】
2018088718.tif 000825
（4）、
【数８７】
2018088718.tif 000826
（5）、
【数８８】
2018088718.tif 000827
（6）、
【数８９】
2018088718.tif 000828
（7）、
【数９０】
2018088718.tif 000829
（8）、
【数９１】
2018088718.tif 000830
（9）、
【数９２】
2018088718.tif 000831
（10）、
【数９３】
2018088718.tif 000832
（11）、
【数９４】
2018088718.tif 000833
（12）、および
【数９５】
2018088718.tif 000834
（13）
であり、
ランダム・アクセス・チャネル・ZCシーケンスのルートはuであり、du＝u-1であり、u-1は、（（1／u）×u）mod NZC＝1を満たす最小の非負の整数であり、NZCは、前記ランダム・アクセス・チャネル・ZCシーケンスの長さである、前記循環シフト値決定モジュールと、
前記循環シフト値Cvに従ってランダム・アクセス・チャネル・ZCシーケンスを生成するように構成された生成モジュールと、
を含む、基地局。
【請求項１２】
NCS≦du＜NZC／5である場合、
【数９６】
2018088718.tif 000835
、dstart、
【数９７】
2018088718.tif 000836
、および
【数９８】
2018088718.tif 000837
は式（2）から式（5）を満たし、または、NZC／5≦du≦（NZC−NCS）／4である場合、
【数９９】
2018088718.tif 000838
、dstart、
【数１００】
2018088718.tif 000839
、および
【数１０１】
2018088718.tif 000840
は式（6）から式（9）を満たし、または、（NZC＋NCS）／4≦du≦（NZC−NCS）／3である場合、
【数１０２】
2018088718.tif 000841
、dstart、
【数１０３】
2018088718.tif 000842
、および
【数１０４】
2018088718.tif 000843
は式（10）から式（13）を満たす、請求項11に記載の基地局。
【請求項１３】
生成モジュールは、さらに、
前記循環シフト値Cvに従って前記ランダム・アクセス・チャネル・ZCシーケンス
【数１０５】
2018088718.tif 000844
を生成するように構成されており、
【数１０６】
2018088718.tif 000845
は、下記の式（14）を満たし、
【数１０７】
2018088718.tif 000846
（14）
式中、前記ランダム・アクセス・チャネル・ZCシーケンスの前記ルートuは
【数１０８】
2018088718.tif 000847
を満たす、請求項11または12に記載の基地局。
【請求項１４】
duは、ドップラー周波数シフトがPRACHサブキャリア間隔の1倍であるときにZCシーケンスが対応する循環シフトである、請求項11から13のいずれか一項に記載の基地局。
【請求項１５】
前記ランダム・アクセス・チャネル・ZCシーケンスを用いて、ランダム・アクセス・チャネル・ZCシーケンスを検出するように構成された検出モジュールをさらに含む、請求項11から14のいずれか一項に記載の基地局。
【請求項１６】
装置であって、
0から
【数１０９】
2018088718.tif 000848
までの範囲からシフト通し番号vを選択するように構成された、シフト通し番号決定モジュールと、
前記シフト通し番号vに従って循環シフト値Cvを獲得するように構成された、循環シフト値決定モジュールであって、
Cvは、以下の式（1）を満たし、
【数１１０】
2018088718.tif 000849
（1）
式中、doffsetは整数定数であるか、またはdoffsetはゼロであり、
NCSは1ユーザによって占有される循環シフトの数であり、
【数１１１】
2018088718.tif 000850
、dstart、
【数１１２】
2018088718.tif 000851
、および
【数１１３】
2018088718.tif 000852
は式（2）から式（5）を満たし、または
【数１１４】
2018088718.tif 000853
、dstart、
【数１１５】
2018088718.tif 000854
、および
【数１１６】
2018088718.tif 000855
は式（6）から式（9）を満たし、または
【数１１７】
2018088718.tif 000856
、dstart、
【数１１８】
2018088718.tif 000857
、および
【数１１９】
2018088718.tif 000858
は式（10）から式（13）を満たし、
【数１２０】
2018088718.tif 000859
（2）、
【数１２１】
2018088718.tif 000860
（3）、
【数１２２】
2018088718.tif 000861
（4）、
【数１２３】
2018088718.tif 000862
（5）、
【数１２４】
2018088718.tif 000863
（6）、
【数１２５】
2018088718.tif 000864
（7）、
【数１２６】
2018088718.tif 000865
（8）、
【数１２７】
2018088718.tif 000866
（9）、
【数１２８】
2018088718.tif 000867
（10）、
【数１２９】
2018088718.tif 000868
（11）、
【数１３０】
2018088718.tif 000869
（12）、および
【数１３１】
2018088718.tif 000870
（13）
であり、
ランダム・アクセス・チャネル・ZCシーケンスのルートはuであり、du＝u-1であり、u-1は、（（1／u）×u）mod NZC＝1を満たす最小の非負の整数であり、NZCは、前記ランダム・アクセス・チャネル・ZCシーケンスの長さである、前記循環シフト値決定モジュールと、
前記循環シフト値Cvに従ってランダム・アクセス・チャネル・ZCシーケンスを生成するように構成された生成モジュールと、
を含む、装置。
【請求項１７】
NCS≦du＜NZC／5である場合、
【数１３２】
2018088718.tif 000871
、dstart、
【数１３３】
2018088718.tif 000872
、および
【数１３４】
2018088718.tif 000873
は式（2）から式（5）を満たし、または、NZC／5≦du≦（NZC−NCS）／4である場合、
【数１３５】
2018088718.tif 000874
、dstart、
【数１３６】
2018088718.tif 000875
、および
【数１３７】
2018088718.tif 000876
は式（6）から式（9）を満たし、または、（NZC＋NCS）／4≦du≦（NZC−NCS）／3である場合、
【数１３８】
2018088718.tif 000877
、dstart、
【数１３９】
2018088718.tif 000878
、および
【数１４０】
2018088718.tif 000879
は式（10）から式（13）を満たす、請求項16に記載の装置。
【請求項１８】
生成モジュールは、さらに、
前記循環シフト値Cvに従って前記ランダム・アクセス・チャネル・ZCシーケンス
【数１４１】
2018088718.tif 000880
を生成するように構成されており、
【数１４２】
2018088718.tif 000881
は、下記の式（14）を満たし、
【数１４３】
2018088718.tif 000882
（14）
式中、前記ランダム・アクセス・チャネル・ZCシーケンスの前記ルートuは
【数１４４】
2018088718.tif 000883
を満たす、請求項16または17に記載の装置。
【請求項１９】
duは、ドップラー周波数シフトがPRACHサブキャリア間隔の1倍であるときにZCシーケンスが対応する循環シフトである、請求項16から18のいずれか一項に記載の装置。
【請求項２０】
前記ランダム・アクセス・チャネル・ZCシーケンスを送信するように構成された送信モジュールをさらに含む、請求項16から19のいずれか一項に記載の装置。
【請求項２１】
プログラムが記録されたコンピュータ可読記憶媒体であって、前記プログラムがコンピュータによって実行されたとき、前記コンピュータに請求項1から10のいずれか一項に記載の方法を実行させることを特徴とするコンピュータ可読記憶媒体。
【請求項２２】
請求項1から10のいずれか1項に記載の方法をコンピュータに実行させるプログラム。
【外国語明細書】
2018088718000001.pdf